(57)【要約】【課題】本発明は、ＡＶデータの送信をＡＶデータ受信装置からＡＶデータ送信装置に求めるＡＶデータ無線通信システムを提供することを目的とする。【解決手段】ＡＶデータ受信装置からＩＤコードの切換を要求するＩＤ切換要求信号が送信されると、ＡＶデータ送信装置は受信したＩＤ切換要求信号よりいずれのＡＶデータ受信装置から要求されたか確認し、確認したＡＶデータ受信装置のＩＤコードに切り換え、この切り換えたＩＤコードでＡＶデータを暗号化して送信する。【選択図】      図１
2004214971.tif 000002
【特許請求の範囲】
【請求項１】
音声や映像を含むＡＶデータを暗号化して送信するＡＶデータ送信装置において、
通信許可したＡＶデータ受信装置毎に設定されるＡＶデータを暗号化する受信装置用鍵信号を複数備えるとともに、
当該複数の受信装置用鍵信号よりＡＶデータの送信相手となる前記ＡＶデータ受信装置に応じた受信装置用鍵信号をデータ通信用鍵信号として選択し、選択した該データ通信用鍵信号を用いて暗号化を行って前記ＡＶデータ受信装置にＡＶデータを送信することを特徴とするＡＶデータ送信装置。
【請求項２】
前記ＡＶデータ受信装置から前記データ通信用鍵信号を前記ＡＶデータ受信装置に応じた前記受信装置用鍵信号に切り換えることを要求する切換要求信号を受信すると、当該切換要求信号を送信した前記ＡＶデータ受信装置が通信許可した装置であることを確認し、
該ＡＶデータ受信装置が通信許可した装置であるとき、前記データ通信用鍵信号を該ＡＶデータ受信装置に応じた受信装置鍵信号に切り換え、前記切換要求信号を送信した該ＡＶデータ受信装置に切り換えた該データ通信用鍵信号で暗号化したＡＶデータを送信することを特徴とする請求項１に記載のＡＶデータ送信装置。
【請求項３】
音声や映像を含むＡＶデータを暗号化する暗号化部と、該暗号化部で暗号化するデータ通信用鍵信号を格納する第１鍵信号記憶部と、ＡＶデータを送信するとともにデータの送受信を行う送受信部とを備えるＡＶデータ送信装置において、
通信許可した複数のＡＶデータ受信装置それぞれに応じた複数の受信装置用鍵信号を格納するとともに前記第１鍵信号記憶部内のデータ通信用鍵信号を切り換える鍵信号切換制御部を備え、
前記ＡＶデータ受信装置から前記データ通信用鍵信号を前記ＡＶデータ受信装置に応じた前記受信装置鍵信号に切り換えることを要求する切換要求信号を前記送受信部で受信すると、当該切換要求信号を送信した前記ＡＶデータ受信装置が通信許可した装置であることを確認し、
該ＡＶデータ受信装置が通信許可した装置であるとき、前記鍵信号切換制御部によって前記第１鍵信号記憶部内に格納する前記データ通信用鍵信号を該ＡＶデータ受信装置に応じた前記受信装置用鍵信号に切り換えることを特徴とするＡＶデータ送信装置。
【請求項４】
前記切換要求信号が該切換要求信号を送信する前記ＡＶデータ受信装置に応じた前記受信装置用鍵信号で暗号化されるとともに、
前記第１鍵信号記憶部に格納された前記データ通信用鍵信号を用いて暗号化解除する第１暗号化解除部を備え、
前記送受信部で受信した前記切換要求信号を前記第１暗号化解除部において前記鍵信号切換部に格納された前記複数の受信装置用鍵信号のいずれかで暗号化解除することができたか否かにより、前記切換要求信号を送信した前記ＡＶデータ受信装置が通信許可した装置であるか否かを確認することを特徴とする請求項３に記載のＡＶデータ送信装置。
【請求項５】
前記通信許可したＡＶデータ受信装置と共通の特定鍵信号で前記切換要求信号が暗号化されるとともに、暗号化解除を行う第２暗号化解除部を備え、
前記送受信部で受信した前記切換要求信号を前記第２暗号化解除部において前記特定鍵信号で暗号化解除することができたか否かにより、前記切換要求信号を送信した前記ＡＶデータ受信装置が通信許可した装置であるか否かを確認することを特徴とする請求項３に記載のＡＶデータ送信装置。
【請求項６】
前記切換要求信号を受信して前記データ通信用鍵信号を切り換えたとき、切り換える前まで前記データ通信用鍵信号として前記第１鍵信号記憶部に格納された前記データ通信用鍵信号となる前記受信装置用鍵信号を備える前記ＡＶデータ受信装置の動作状態を変更させる状態変更信号を前記送受信部より送信することを特徴とする請求項３〜請求項５のいずれかに記載のＡＶデータ送信装置。
【請求項７】
前記ＡＶデータ受信装置より前記鍵信号切換制御部に格納された前記受信装置用鍵信号の変更を要求する変更要求信号を前記送受信部で受信し、
該変更要求信号を送信した該ＡＶデータ受信装置が通信許可したＡＶデータ受信装置であることを確認すると、前記鍵信号切換制御部に格納した該ＡＶデータ受信装置に応じた受信装置用鍵信号を該変更要求信号より認識される受信装置用鍵信号に変更することを特徴とする請求項３〜請求項６のいずれかに記載のＡＶデータ送信装置。
【請求項８】
前記第１鍵信号記憶部内に格納する前記データ通信用鍵信号を切換不可とする固定モードを備えることを特徴とする請求項３〜請求項７のいずれかに記載のＡＶデータ送信装置。
【請求項９】
前記ＡＶデータ受信装置より前記第１鍵信号記憶部内の前記データ通信用鍵信号が切換可能か否かを確認する切換確認信号が送信され、
該切換確認信号を前記送受信部で受信したとき、
前記切換確認信号が通信許可された前記ＡＶデータ受信装置から送信されたものであるとともに前記固定モードでない場合、通信可能であることを示す通信可能信号を前記送受信部より送信し、
又、前記切換確認信号が通信許可された前記ＡＶデータ受信装置から送信されたものであるとともに前記固定モードである場合、通信不可能であることを示す通信不可信号を前記送受信部より送信することを特徴とする請求項８に記載のＡＶデータ送信装置。
【請求項１０】
前記切換確認信号を前記送受信部で受信したとき、前記第１鍵信号記憶部内の前記データ通信用鍵信号より現在ＡＶデータを送信している前記ＡＶデータ受信装置を確認し、前記通信可能信号及び前記通信不可信号とともに確認した前記ＡＶデータ受信装置の情報を送信することを特徴とする請求項９に記載のＡＶデータ送信装置。
【請求項１１】
前記切換確認信号を前記送受信部で受信したとき、前記切換確認信号が通信許可していない前記ＡＶデータ受信装置から送信されたものである場合、通信対象外であることを示す通信対象外信号を送信することを特徴とする請求項９又は請求項１０に記載のＡＶデータ送信装置。
【請求項１２】
１周期毎に前記ＡＶデータを送信するＡＶデータ送信期間を設定するとともに、１周期の該ＡＶデータ送信期間以外の期間に前記切換要求信号を受信することを特徴とする請求項３〜請求項１１のいずれかに記載のＡＶデータ送信装置。
【請求項１３】
ＡＶデータ送信装置から送信される音声や映像を含むＡＶデータを受信するとともに、該ＡＶデータ送信装置で暗号化された該ＡＶデータを暗号化解除するＡＶデータ受信装置において、
ＡＶデータを暗号化解除する受信装置用鍵信号を備えるとともに、
自機器の該受信装置用鍵信号を複数の受信装置用鍵信号の１つとして格納することで自機器を通信許可した前記ＡＶデータ送信装置に、前記ＡＶデータを暗号化するデータ通信用鍵信号として自機器の該受信装置用鍵信号に切り換えることを要求する切換要求信号を送信することを特徴とするＡＶデータ受信装置。
【請求項１４】
暗号化された映像や音声などのＡＶデータを受信するとともにデータの送受信を行う送受信部と、前記ＡＶデータを暗号化解除する第１暗号化解除部と、該第１暗号化解除部で暗号化解除する受信装置用鍵信号を格納する第１鍵信号記憶部と、送信するデータを生成するデータ生成部とを備えるＡＶデータ受信装置において、
自機器の該受信装置用鍵信号を複数の受信装置用鍵信号の１つとして格納することで自機器を通信許可した前記ＡＶデータ送信装置に、前記ＡＶデータを暗号化するデータ通信用鍵信号として自機器の該受信装置用鍵信号に切り換えることを要求する切換要求信号を前記データ生成部で生成し、前記送受信部より該切換要求信号を送信することを特徴とするＡＶデータ受信装置。
【請求項１５】
前記データ生成部で生成された信号を前記第１鍵信号記憶部内の前記受信装置用鍵信号で暗号化する暗号化部を備え、
前記データ生成部で生成した前記切換要求信号を前記暗号化部で前記受信装置用鍵信号によって暗号化して前記送受信部より送信することを特徴とする請求項１４に記載のＡＶデータ受信装置。
【請求項１６】
前記ＡＶデータ送信装置及び該ＡＶデータ送信装置が通信許可したＡＶデータ受信装置の間で共通となる特定鍵信号で、前記データ生成部で生成された信号を暗号化する暗号化部を備え、
前記データ生成部で生成した前記切換要求信号を前記暗号化部で前記特定鍵信号によって暗号化して前記送受信部より送信することを特徴とする請求項１４に記載のＡＶデータ受信装置。
【請求項１７】
前記送受信部で受信した前記ＡＶデータ以外の信号を前記特定鍵信号で暗号化解除する第２暗号化解除部を備えることを特徴とする請求項１６に記載のＡＶデータ受信装置。
【請求項１８】
前記ＡＶデータ送信装置で前記データ通信用鍵信号が切り換えられたとき、自機器が前記データ通信用鍵信号を切り換える前に前記ＡＶデータ送信装置からＡＶデータを受信していた場合、前記ＡＶデータ送信装置より動作状態を変更させる状態変更信号を前記送受信部で受信し、自機器の動作状態を変更することを特徴とする請求項１４〜請求項１７のいずれかに記載のＡＶデータ受信装置。
【請求項１９】
前記状態変更信号を前記送受信部で受信したとき、有線接続された前記ＡＶデータを再生するＡＶデータ再生装置を含む外部機器の動作状態を変更するように制御することを特徴とする請求項１８に記載のＡＶデータ受信装置。
【請求項２０】
電源ＯＮするように操作されたとき、前記切換要求信号を前記データ生成部で生成して前記送受信部より送信するとともに、有線接続された前記ＡＶデータを再生するＡＶデータ再生装置を含む外部機器の電源をＯＮすることを特徴とする請求項１４〜請求項１９のいずれかに記載のＡＶデータ受信装置。
【請求項２１】
前記受信装置用鍵信号を生成する鍵信号生成部を備え、
該鍵信号生成部で生成した前記受信装置用鍵信号が前記データ生成部に与えられて、前記受信装置用鍵信号とともに前記ＡＶデータ受信装置に格納される前記受信装置用鍵信号の変更を要求する変更要求信号を該データ生成部で生成し、前記送受信部を送信することを特徴とする請求項１４〜請求項２０のいずれかに記載のＡＶデータ受信装置。
【請求項２２】
前記データ生成部において、前記ＡＶデータ送信装置の前記データ通信用鍵信号が切換可能か否かを確認する切換確認信号を生成し、前記送受信部より送信することを特徴とする請求項１４〜請求項２１のいずれかに記載のＡＶデータ受信装置。
【請求項２３】
前記ＡＶデータ送信装置により送信された通信可能であることを示す通信可能信号を前記送受信部で受信したとき、通信可能であることを示すとともに、前記ＡＶデータ送信装置により送信された通信不可能であることを示す通信不可信号を前記送受信部で受信したとき、通信不可能であることを示す通信状態確認部を備えることを特徴とする請求項２２に記載のＡＶデータ受信装置。
【請求項２４】
前記ＡＶデータ送信装置により送信された通信可能であることを示す前記通信可能信号を前記送受信部で受信したとき、通信可能であることを表示するように有線接続したＡＶ再生装置を制御するとともに、
前記ＡＶデータ送信装置により送信された通信不可能であることを示す前記通信不可信号を前記送受信部で受信したとき、通信不可能であることを表示するように前記ＡＶ再生装置を制御することを特徴とする請求項２２又は請求項２３に記載のＡＶデータ受信装置。
【請求項２５】
前記通信可能信号及び前記通信不可信号とともに前記ＡＶデータ送信装置が現在ＡＶデータを送信している前記ＡＶデータ受信装置を表す情報を前記送受信部で受信し、前記ＡＶデータ送信装置が現在ＡＶデータを送信している前記ＡＶデータ受信装置を表示するように前記ＡＶ再生装置を制御することを特徴とする請求項２４に記載のＡＶデータ受信装置。
【請求項２６】
前記切換確認信号を送信した前記ＡＶデータ送信装置から通信許可されていないことを示す通信対象外信号を前記送受信部で受信したとき、前記通信状態確認部が通信対象外であることを示すことを特徴とする請求項２３に記載のＡＶデータ受信装置。
【請求項２７】
前記切換確認信号を送信した前記ＡＶデータ送信装置から通信許可されていないことを示す通信対象外信号を前記送受信部で受信したとき、通信対象外であることを表示するように前記ＡＶ再生装置を制御することを特徴とする請求項２４又は請求項２５に記載のＡＶデータ受信装置。
【請求項２８】
１周期毎に前記ＡＶデータを受信するＡＶデータ送信期間を設定するとともに、１周期の該ＡＶデータ送信期間以外の期間に前記切換要求信号を送信することを特徴とする請求項１４〜請求項２７のいずれかに記載のＡＶデータ受信装置。
【請求項２９】
音声や映像を含むＡＶデータを暗号化して送信するＡＶデータ送信装置と、受信した前記ＡＶデータを暗号化解除するＡＶデータ受信装置とによって構成するＡＶデータ無線通信システムにおいて、
前記ＡＶデータ送信装置が、通信許可した前記ＡＶデータ受信装置毎に設定されるＡＶデータを暗号化する受信装置用鍵信号を複数備えるとともに、当該複数の受信装置用鍵信号よりＡＶデータの送信相手となる前記ＡＶデータ受信装置に応じた受信装置用鍵信号をデータ通信用鍵信号として選択し、選択した該データ通信用鍵信号を用いて暗号化を行って前記ＡＶデータ受信装置にＡＶデータを送信することを特徴とするＡＶデータ無線通信システム。
【請求項３０】
前記ＡＶデータ受信装置が前記データ通信用鍵信号を前記ＡＶデータ受信装置に応じた前記受信装置用鍵信号に切り換えることを要求する切換要求信号を送信し、
前記ＡＶデータ送信装置が該切換要求信号を受信したとき、該切換要求信号を送信した前記ＡＶデータ受信装置が通信許可した装置であることを確認し、
前記ＡＶデータ送信装置は、通信許可した装置であることが確認されたとき、前記データ通信用鍵信号を該ＡＶデータ受信装置に応じた受信装置鍵信号に切り換え、
前記ＡＶデータ送信装置から、前記切換要求信号を送信した前記ＡＶデータ受信装置に、切り換えた前記データ通信用鍵信号で暗号化したＡＶデータを送信することを特徴とする請求項２９に記載のＡＶデータ無線通信システム。
【請求項３１】
前記受信装置用鍵信号で前記切換要求信号が暗号化されることを特徴とする請求項３０に記載のＡＶデータ無線通信システム。
【請求項３２】
前記ＡＶデータ送信装置及び該ＡＶデータ送信装置が通信許可したＡＶデータ受信装置の間で共通となる特定鍵信号で前記切換要求信号が暗号化されることを特徴とする請求項３０に記載のＡＶデータ無線通信システム。
【請求項３３】
前記ＡＶデータ送信装置において前記データ通信用鍵信号を、前記切換要求信号を送信した第１ＡＶデータ受信装置に応じた第１受信装置用鍵信号に切り換えたとき、
切換前に前記データ通信用鍵信号として使用していた第２受信装置用鍵信号に応じた第２ＡＶデータ受信装置の動作状態を変更するように、前記ＡＶデータ送信装置より該第２ＡＶデータ受信装置に動作状態を変更させる状態変更信号を送信し、
該第２ＡＶデータ受信装置が該状態変更信号を受信し、該第２ＡＶデータ受信装置の動作状態が変更することを特徴とする請求項２９〜請求項３２のいずれかに記載のＡＶデータ無線通信システム。
【請求項３４】
前記第１ＡＶデータ受信装置が電源ＯＮとなることによって前記切換要求信号を送信することを特徴とする請求項３３に記載のＡＶデータ無線通信システム。
【請求項３５】
前記ＡＶデータ受信装置において、前記受信装置用鍵信号を変更するとともに、前記受信装置用鍵信号を情報として含む前記ＡＶデータ送信装置内の前記受信装置用鍵信号の変更を要求する変更要求信号を生成して送信し、
前記ＡＶデータ送信装置において、前記変更要求信号を受信すると、記憶した前記変更要求信号を送信した前記ＡＶデータ受信装置に応じた前記受信装置用鍵信号を、前記変更要求信号より確認される前記受信装置用鍵信号に変更することを特徴とする請求項２９〜請求項３４のいずれかに記載のＡＶデータ無線通信システム。
【請求項３６】
前記ＡＶデータ受信装置より前記データ通信用鍵信号が切換可能か否かを確認する切換確認信号が送信され、
該切換確認信号を受信した前記ＡＶデータ送信装置が、通信可能であることを確認すると、通信可能であることを示す通信可能信号を送信し、通信不可能であることを確認すると、通信不可能であることを示す通信不可信号を送信することを特徴とする請求項２９〜請求項３４のいずれかに記載のＡＶデータ無線通信システム。
【請求項３７】
前記切換確認信号を受信した前記ＡＶデータ送信装置が、該切換確認信号を送信した前記ＡＶデータ受信装置が通信許可した装置でないとき、通信対象外であることを示す通信対象外信号を送信することを特徴とする請求項３６に記載のＡＶデータ無線通信システム。
【請求項３８】
１周期毎に前記ＡＶデータが送受信されるＡＶデータ送信期間が設定されるとともに、１周期の該ＡＶデータ送信期間以外の期間に前記切換要求信号が送受信されることを特徴とする請求項２９〜請求項３７のいずれかに記載のＡＶデータ無線通信システム。
【発明の詳細な説明】
【０００１】
本発明は、ＡＶデータを暗号化コードで暗号化して無線送信するＡＶデータ送信装置、及び、暗号化されたＡＶデータを無線受信して復号化するＡＶデータ受信装置、及び、このＡＶデータ送信装置及びＡＶデータ受信装置によるＡＶデータ無線通信システムに関する。
【発明の属する技術分野】
【０００２】
【従来の技術】
近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ用の無線通信システムが提供されている。このＡＶデータ用の無線通信システムを実現するために、ＡＶソース機器にＡＶデータを送信するＡＶデータ送信装置が接続されるとともに、ＡＶ再生装置にＡＶ受信装置が接続される。又、このＡＶデータ送信装置がＡＶソース機器に備えられるとともに、ＡＶ受信装置がＡＶ再生装置に備えられることで、ＡＶソース機器とＡＶ再生装置とによってＡＶデータ用の無線通信システムが構成されることもある。
【０００３】
そして、このようなＡＶデータ用の無線通信システムでは、ＡＶデータ送信装置とＡＶデータ受信装置は、ＡＶデータに著作権があるため、１対１で構成され、別のシステムを構成するＡＶデータ送信装置とＡＶデータ受信装置との間ではＡＶ伝送ができないようになっている。従来のＡＶデータ用の無線通信システムを複数用いたときの構成を、図２８に示す。
【０００４】
図２８では、２つのＡＶデータ用の無線通信システムが構成されている。１つのＡＶデータ用の無線通信システムＸは、ＡＶソース機器１と有線で接続されたＡＶデータ送信装置１０１のアンテナ５１１から、ＡＶソース機器１から出力されたＡＶデータが送信される。このＡＶソース機器１からのＡＶデータは、アンテナ５４１を介してＡＶデータ受信装置１０２で受信され、ＡＶデータ受信装置１０２と有線で接続されたＡＶ再生装置２に与えられて再生表示される。
【０００５】
又、ＡＶソース機器１を操作するためのリモートコントローラ（リモコン）１１が操作されて赤外線信号が送信されると、この赤外線信号がＡＶデータ受信装置１０２の赤外線信号受信部５５３で受信された後、無線通信用の信号に変換されてアンテナ５４１から送信される。そして、この信号がＡＶデータ受信装置１０１のアンテナ５１１で受信されると、赤外線信号に変換されて赤外線信号送信部５１７から送信された後、ＡＶソース機器１の赤外線信号受信部１２で受信されて、リモコン１１で指示された動作をＡＶソース機器１が行う。
【０００６】
又、もう１つのＡＶデータ用の無線通信システムＹは、ＡＶソース機器の機能を備えたＡＶデータ送信装置１０３のアンテナ５１１からＡＶデータが送信されると、このＡＶデータがＡＶ再生装置の機能を備えたＡＶデータ受信装置１０４のアンテナ５４１で受信され、ＡＶデータ受信装置１０４によってＡＶデータが投影されてスクリーン１３に再生表示される。又、ＡＶデータ送信装置１０３を操作するためにリモコン１４が奏されると、赤外線信号がＡＶデータ受信装置１０４の赤外線信号受信部５５３で受信された後、無線通信用の信号に変換されてアンテナ５４１から送信される。そして、この信号がＡＶデータ受信装置１０３のアンテナ５１１で受信されると、リモコン１３で指示された動作をＡＶ受信装置１０３が行う。
【０００７】
又、上述のＡＶデータ送信装置１０１は、図２９に示すように、ＮＴＳＣ等のアナログＡＶデータを入力するアナログ入力部５０２とデジタル信号を入力するデジタル入力部５０１がある。アナログデータは、Ａ／Ｄ変換部（以下、「Ａ／Ｄ」とする）５０３でデジタル化され、ＭＰＥＧ部５０４でエンコードされ、各種データはデータ生成部５０５で整理され、誤り訂正符号化処理部５０６で誤り訂正符号が付加され、データスクランブル部５０７で暗号化（スクランブル）され、ベースバンド（以下、「ＢＢ」とする）５０９、高周波増幅回路（以下、「ＲＦ」とする）５１０、アンテナ５１１という経路でＡＶデータ受信側に送信される。このとき、データスクランブル部５０７でスクランブルするために使用されるＩＤはＩＤ記憶部５２０に記憶されている。入力されるデータがデジタルデータである場合、デジタル入力部５０１から直接データ生成部５０５に与えられる。
【０００８】
図３０に示す構成のＡＶデータ受信装置１０２では、アンテナ５４１，ＲＦ５４２、ＢＢ５４３を介して受信され、スクランブル解除部５４４でスクランブルを解除し、データ解析部５４５でＡＶデータの振り分けや不足等が判定され、ＭＰＥＧ部５４６でデコードされ、Ｄ／Ａ変換部（以下、「Ｄ／Ａ」とする）５４７でアナログ信号に変換され、アナログ出力部５４８でＮＴＳＣ等のデータとして出力される。このとき、スクランブル解除部５４４でスクランブルを解除するために使用されるＩＤがＩＤ記憶部５６０に記憶されている。又、デジタルデータを出力する場合、データ解析部５４５からのデータがデジタル出力解析部５４９及びデジタル出力部５５０を介して出力される。
【０００９】
又、ＡＶデータ受信装置１０２は、データ解析部５４５において正確に受信されなかったパケットの判定を行う。この判定結果より、受信されなかったパケットの再送要求パケットが再送要求パケット生成部５５８で生成される。更に、ＡＶデータ受信装置１０２は、ＡＶソース機器１を制御するための信号を入力する操作部５５１と、リモコン１１からの赤外線信号を受信する赤外線信号受信部５５３を備える。そして、操作部５５１からのデータが入力データ変換部５５２で変換され、赤外線信号受信部５５３で受信された信号がリモコンデータ変換部５５４で変換される。この変換されたデータによるパケットと再送要求パケット生成部５５８からの再送要求パケットから送信データがデータ生成部５５５で生成され、誤り訂正符号付加部５５６で誤り訂正符号が付加される。そして、この送信データが、データスクランブル部５５７でスクランブルされた後、ＢＢ５４３及びＲＦ５４２及びアンテナ５４１を介して送信される。
【００１０】
そして、ＡＶデータ送信機１０１で、アンテナ５１１及びＲＦ５１０及びＢＢ５０９を介して受信すると、スクランブル解除部５１２でスクランブルを解除し、データ解析部５１３においてＡＶデータ受信部１０２で正確に受信されなかったパケットの判定とデータの整理を行い、再送要求が必要な場合は再送要求パケット生成部５１４で再送要求されたＡＶデータのデータパケットが生成される。又、データ解析部５１３で得られたＡＶソース機器１を操作するデータは、リモコンデータ解析部５１６でリモコン信号に変換され、赤外線信号送信部５１７から赤外線信号として出力される。リモコン信号以外のデジタルデータは、デジタルデータ解析部５１８を介して、デジタルデータ出力部５１９より出力される。
【００１１】
又、ＡＶデータ送信装置１０３は、図２９の機能を備えるとともに、更に、ＡＶソース機器１の機能を備える。又、ＡＶデータ受信装置１０４は、図３０の機能を備えるとともに、更に、ＡＶ再生装置２の機能を備える。
【００１２】
図２８において、無線通信システムＸを構成するＡＶデータ送信装置１０１及びＡＶデータ受信装置１０２に記録されたＩＤコードは、Ａで固定されている。一方、無線通信システムＹを構成するＡＶデータ送信装置１０３及びＡＶデータ受信装置１０４のＩＤコードは、Ｂで固定されている。このため、同じＩＤコードを持ったＡＶデータ送信装置１０１とＡＶデータ受信装置１０２の組合せ及びＡＶデータ送信装置１０３とＡＶデータ受信装置１０４の組合せそれぞれでＡＶデータの無線伝送が可能となる。又、無線通信システムＸ，Ｙそれぞれで与えられるＩＤコードＡ，Ｂは、出荷時に決められた値に固定される。
【００１３】
又、従来の技術として、送信側の端末装置より送信されるＩＤにより、受信側の端末装置の着信順位が確認され、この着信順位に従って発信処理を行う電子交換機及び端末が提案されている（特許文献１参照）。
【００１４】
【特許文献１】
特開平８−２０４８２８号公報
【００１５】
【発明が解決しようとする課題】
図２８のＡＶデータの無線通信システムでは、予め定められたＡＶ機器の組合せでしか、ＡＶデータの無線伝送が実現できず、無線で自由な場所で自由なＡＶデータソースを楽しむことが制限されている。しかしながら、スクランブルなどの暗号化を行った無線で伝送されたＡＶデータを受信してスクランブル解除、復号化を実施出来るＡＶデータ受信装置が同時に多数存在した場合、多数のＡＶデータ受信装置で多数の者が視聴できるようになり、ＡＶソース作成者の著作権を侵害することが考えられる。
【００１６】
よって、ＡＶソース作成者や放送業者の著作権を尊重した無線ＡＶ伝送を行うために、一定数以下のＡＶデータ送受信装置に同じ暗号コードを与えて、この同じ暗号コードが与えられたＡＶデータ送受信装置で構成されるグループでのみＡＶ伝送が可能なものと制限する。そして、異なったグループには異なった暗号コードを設定することによって、各グループ間でのＡＶ伝送が行われないように制限される。又、図２８のように、現状では、各グループがＡＶデータ送信装置及びＡＶデータ受信装置が１対１となるように構成されている。
【００１７】
図２８のように構成したとき、ユーザが、１つの部屋においてＡＶソース機器１から送信されるＡＶデータを、別の部屋にあるＡＶデータ受信装置１０４で再生することを要求したとき、まず、ＡＶデータ受信装置１０２とＡＶ再生装置２の電源を切断する。そして、ＡＶソース機器１が設置されている部屋にＡＶデータ送信装置１０３を運んだ後、ＡＶソース機器１にＡＶでデータ送信装置１０３を接続し、ＡＶデータ受信装置１０４でＡＶソース機器１からのＡＶデータを再生する。
【００１８】
このように、現状の構成では、部屋を移動しても同じＡＶソースを視聴するためには、ＡＶデータ受信装置を持ち歩くか、又は、ＡＶデータ送受信システムを複数セット用意して、ＡＶデータ送受信装置を切り換えるかなどの煩雑な処理を行わなければならない。又、ＡＶデータ送受信システムを複数セット同時に起動しておくこともできるが、ＡＶデータ送信装置が複数必要となるため、設置場所や消費電力が増大するとともに、同時に送受信が行われるため、限られた周波数帯の多くを占有してしまう。
【００１９】
又、特許文献１による電子交換機による着信処理させる端末の設定方法では、発信端末より送信されるＩＤより着信処理させる端末の順位を確認し、この順位に従って着信処理を行う。よって、ユーザの所望するＡＶデータ受信装置にＡＶデータを送信させるようにＡＶデータ送信装置が決定するためには、ユーザ所望のＡＶデータ受信装置よりも順位の高いＡＶデータ受信装置を停止させる必要がある。よって、順位が最も低いＡＶデータ受信装置を所望する場合、他のＡＶデータ全ての電源をＯＦＦすることを確認する必要があり、その処理動作が煩雑になる。
【００２０】
このような問題を鑑みて、本発明は、ＡＶデータの送信をＡＶデータ受信装置からＡＶデータ送信装置に求めるＡＶデータ無線通信システムを提供することを目的とする。又、このようなＡＶデータ無線通信システムにおけるＡＶデータ送信装置及びＡＶデータ受信装置を提供することを、本発明の別の目的とする。
【００２１】
【課題を解決するための手段】
上記目的を達成するために、本発明のＡＶデータ送信装置は、音声や映像を含むＡＶデータを暗号化して送信するＡＶデータ送信装置において、通信許可したＡＶデータ受信装置毎に設定されるＡＶデータを暗号化する受信装置用鍵信号を複数備えるとともに、当該複数の受信装置用鍵信号よりＡＶデータの送信相手となる前記ＡＶデータ受信装置に応じた受信装置用鍵信号をデータ通信用鍵信号として選択し、選択した該データ通信用鍵信号を用いて暗号化を行って前記ＡＶデータ受信装置にＡＶデータを送信することを特徴とする。
【００２２】
このようなＡＶデータ送信装置において、前記ＡＶデータ受信装置から前記データ通信用鍵信号を前記ＡＶデータ受信装置に応じた前記受信装置用鍵信号に切り換えることを要求する切換要求信号を受信すると、当該切換要求信号を送信した前記ＡＶデータ受信装置が通信許可した装置であることを確認し、該ＡＶデータ受信装置が通信許可した装置であるとき、前記データ通信用鍵信号を該ＡＶデータ受信装置に応じた受信装置鍵信号に切り換え、前記切換要求信号を送信した該ＡＶデータ受信装置に切り換えた該データ通信用鍵信号で暗号化したＡＶデータを送信する。
【００２３】
又、本発明のＡＶデータ送信装置は、音声や映像を含むＡＶデータを暗号化する暗号化部と、該暗号化部で暗号化するデータ通信用鍵信号を格納する第１鍵信号記憶部と、ＡＶデータを送信するとともにデータの送受信を行う送受信部とを備えるＡＶデータ送信装置において、通信許可した複数のＡＶデータ受信装置それぞれに応じた複数の受信装置用鍵信号を格納するとともに前記第１鍵信号記憶部内のデータ通信用鍵信号を切り換える鍵信号切換制御部を備え、前記ＡＶデータ受信装置から前記データ通信用鍵信号を前記ＡＶデータ受信装置に応じた前記受信装置鍵信号に切り換えることを要求する切換要求信号を前記送受信部で受信すると、当該切換要求信号を送信した前記ＡＶデータ受信装置が通信許可した装置であることを確認し、該ＡＶデータ受信装置が通信許可した装置であるとき、前記鍵信号切換制御部によって前記第１鍵信号記憶部内に格納する前記データ通信用鍵信号を該ＡＶデータ受信装置に応じた前記受信装置用鍵信号に切り換える。
【００２４】
このとき、前記切換要求信号が該切換要求信号を送信する前記ＡＶデータ受信装置に応じた前記受信装置用鍵信号で暗号化されるとともに、前記第１鍵信号記憶部に格納された前記データ通信用鍵信号を用いて暗号化解除する第１暗号化解除部を備え、前記送受信部で受信した前記切換要求信号を前記第１暗号化解除部において前記鍵信号切換部に格納された前記複数の受信装置用鍵信号のいずれかで暗号化解除することができたか否かにより、前記切換要求信号を送信した前記ＡＶデータ受信装置が通信許可した装置であるか否かを確認するようにしても構わない。
【００２５】
又、前記通信許可したＡＶデータ受信装置と共通の特定鍵信号で前記切換要求信号が暗号化されるとともに、暗号化解除を行う第２暗号化解除部を備え、前記送受信部で受信した前記切換要求信号を前記第２暗号化解除部において前記特定鍵信号で暗号化解除することができたか否かにより、前記切換要求信号を送信した前記ＡＶデータ受信装置が通信許可した装置であるか否かを確認するようにしても構わない。
【００２６】
又、前記切換要求信号が暗号化されずに前記ＡＶデータ受信装置より送信され、該切換要求信号を受信したとき、そのヘッダ情報より該切換要求信号を送信した前記ＡＶデータ受信装置を確認し、該切換要求信号を送信した前記ＡＶデータ受信装置が通信許可した装置であるか否かを確認するようにしても構わない。
【００２７】
又、前記切換要求信号を受信して前記データ通信用鍵信号を切り換えたとき、切り換える前まで前記データ通信用鍵信号として前記第１鍵信号記憶部に格納された前記データ通信用鍵信号となる前記受信装置用鍵信号を備える前記ＡＶデータ受信装置の動作状態を変更させる状態変更信号を前記送受信部より送信するようにしても構わない。即ち、第１ＡＶデータ受信装置より前記切換要求信号が送信されて、前記データ通信用鍵信号が切り換えられたとき、切換前に前記データ通信用鍵信号として使用された前記受信装置用鍵信号に応じた第２ＡＶデータ受信装置に前記状態変更信号を送信する。該状態変更信号として、前記ＡＶデータ受信装置を電源ＯＦＦさせるものであっても構わないし、受信のみが可能な状態に変更させるものであっても構わないし、スリープ状態のような低消費電力モードに変更させるものであっても構わない。
【００２８】
又、前記ＡＶデータ受信装置より前記鍵信号切換制御部に格納された前記受信装置用鍵信号の変更を要求する変更要求信号を前記送受信部で受信し、該変更要求信号が送信した該ＡＶデータ受信装置が通信許可したＡＶデータ受信装置であることを確認すると、前記鍵信号切換制御部に格納した該ＡＶデータ受信装置に応じた受信装置用鍵信号を該変更要求信号より認識される受信装置用鍵信号に変更する。該変更要求信号を前記受信装置用鍵信号又は前記特定鍵信号で暗号化されるものとしても構わない。又、該変更要求信号は変更後の前記受信装置用鍵信号に関する情報が含まれる。
【００２９】
又、前記第１鍵信号記憶部内に格納する前記データ通信用鍵信号を切換不可とする固定モードを備える。このとき、前記ＡＶデータ受信装置より前記第１鍵信号記憶部内の前記データ通信用鍵信号が切換可能か否かを確認する切換確認信号が送信され、該切換確認信号を前記送受信部で受信したとき、前記切換確認信号が通信許可された前記ＡＶデータ受信装置から送信されたものであるとともに前記固定モードでない場合、通信可能であることを示す通信可能信号を前記送受信部より送信し、又、前記切換確認信号が通信許可された前記ＡＶデータ受信装置から送信されたものであるとともに前記固定モードである場合、通信不可能であることを示す通信不可信号を前記送受信部より送信するようにしても構わない。該切換確認信号を前記受信装置用鍵信号又は前記特定鍵信号で暗号化されるものとしても構わない。
【００３０】
又、このとき、前記切換確認信号を前記送受信部で受信したとき、前記第１鍵信号記憶部内の前記データ通信用鍵信号より現在ＡＶデータを送信している前記ＡＶデータ受信装置を確認し、前記通信可能信号及び前記通信不可信号とともに確認した前記ＡＶデータ受信装置の情報を送信するようにしても構わない。
【００３１】
又、前記切換確認信号を前記送受信部で受信したとき、前記切換確認信号が通信許可していない前記ＡＶデータ受信装置から送信されたものである場合、通信対象外であることを示す通信対象外信号を送信するようにしても構わない。
【００３２】
又、１周期毎に前記ＡＶデータを送信するＡＶデータ送信期間を設定するとともに、１周期の該ＡＶデータ送信期間以外の期間に前記切換要求信号を受信するようにしても構わない。
【００３３】
又、本実施形態のＡＶデータ受信装置は、ＡＶデータ送信装置から送信される音声や映像を含むＡＶデータを受信するとともに、該ＡＶデータ送信装置で暗号化された該ＡＶデータを暗号化解除するＡＶデータ受信装置において、ＡＶデータを暗号化解除する受信装置用鍵信号を備えるとともに、自機器の該受信装置用鍵信号を複数の受信装置用鍵信号の１つとして格納することで自機器を通信許可した前記ＡＶデータ送信装置に、前記ＡＶデータを暗号化するデータ通信用鍵信号として自機器の該受信装置用鍵信号に切り換えることを要求する切換要求信号を送信することを特徴とする。
【００３４】
又、本発明のＡＶデータ受信装置は、暗号化された映像や音声などのＡＶデータを受信するとともにデータの送受信を行う送受信部と、前記ＡＶデータを暗号化解除する第１暗号化解除部と、該第１暗号化解除部で暗号化解除する受信装置用鍵信号を格納する第１鍵信号記憶部と、送信するデータを生成するデータ生成部とを備えるＡＶデータ受信装置において、自機器の該受信装置用鍵信号を複数の受信装置用鍵信号の１つとして格納することで自機器を通信許可した前記ＡＶデータ送信装置に、前記ＡＶデータを暗号化するデータ通信用鍵信号として自機器の該受信装置用鍵信号に切り換えることを要求する切換要求信号を前記データ生成部で生成し、前記送受信部より該切換要求信号を送信することを特徴とする。
【００３５】
このようなＡＶデータ受信装置において、前記データ生成部で生成された信号を前記第１鍵信号記憶部内の前記受信装置用鍵信号で暗号化する暗号化部を備え、前記データ生成部で生成した前記切換要求信号を前記暗号化部で前記受信装置用鍵信号によって暗号化して前記送受信部より送信するようにしても構わない。
【００３６】
又、前記ＡＶデータ送信装置及び該ＡＶデータ送信装置が通信許可したＡＶデータ受信装置の間で共通となる特定鍵信号で、前記データ生成部で生成された信号を暗号化する暗号化部を備え、前記データ生成部で生成した前記切換要求信号を前記暗号化部で前記特定鍵信号によって暗号化して前記送受信部より送信するようにしても構わない。このとき、前記送受信部で受信した前記ＡＶデータ以外の信号を前記特定鍵信号で暗号化解除する第２暗号化解除部を備える。
【００３７】
又、前記データ生成部で生成した前記切換要求信号を暗号化することなく前記送受信部より送信するようにしても構わない。
【００３８】
前記ＡＶデータ送信装置で前記データ通信用鍵信号が切り換えられたとき、自機器が前記データ通信用鍵信号を切り換える前に前記ＡＶデータ送信装置からＡＶデータを受信していた場合、前記ＡＶデータ送信装置より動作状態を変更させる状態変更信号を前記送受信部で受信し、自機器の動作状態を変更する。このとき、該状態変更信号が前記受信装置用鍵信号又は前記特定鍵信号で暗号化されても構わない。又、該状態変更信号として、前記ＡＶデータ受信装置を電源ＯＦＦさせるものであっても構わないし、受信のみが可能な状態に変更させるものであっても構わないし、スリープ状態のような低消費電力モードに変更させるものであっても構わない。
【００３９】
又、このとき、前記状態変更信号を前記送受信部で受信したとき、有線接続された前記ＡＶデータを再生するＡＶデータ再生装置を含む外部機器の動作状態を変更するように制御するようにしても構わない。このとき、該外部機器を電源ＯＦＦさせても構わないし、低消費電力モードにしても構わない。更に、電源ＯＮするように操作されたとき、前記切換要求信号を前記データ生成部で生成して前記送受信部より送信するとともに、有線接続された前記ＡＶデータを再生するＡＶデータ再生装置を含む外部機器の電源をＯＮするようにしても構わない。
【００４０】
又、前記受信装置用鍵信号を生成する鍵信号生成部を備え、該鍵信号生成部で生成した前記受信装置用鍵信号が前記データ生成部に与えられて、前記受信装置用鍵信号とともに前記ＡＶデータ受信装置に格納される前記受信装置用鍵信号の変更を要求する変更要求信号を該データ生成部で生成し、前記送受信部を送信する。このとき、変更要求信号を前記受信装置用鍵信号又は前記特定鍵信号で暗号化しても構わない。
【００４１】
又、前記データ生成部において、前記ＡＶデータ送信装置の前記第１鍵信号記憶部内の前記データ通信用鍵信号が切換可能か否かを確認する切換確認信号を生成し、前記送受信部より送信する。このとき、切換確認信号を前記受信装置用鍵信号又は前記特定鍵信号で暗号化しても構わない。
【００４２】
前記ＡＶデータ送信装置により送信された通信可能であることを示す通信可能信号を前記送受信部で受信したとき、通信可能であることを示すとともに、前記ＡＶデータ送信装置により送信された通信不可能であることを示す通信不可信号を前記送受信部で受信したとき、通信不可能であることを示す通信状態確認部を備える。このとき、通信状態確認部を点灯又は点滅することによって通信状態を示すＬＥＤとしても構わない。
【００４３】
又、前記ＡＶデータ送信装置により送信された通信可能であることを示す前記通信可能信号を前記送受信部で受信したとき、通信可能であることを表示するように有線接続したＡＶ再生装置を制御するとともに、前記ＡＶデータ送信装置により送信された通信不可能であることを示す前記通信不可信号を前記送受信部で受信したとき、通信不可能であることを表示するように前記ＡＶ再生装置を制御するようにしても構わない。
【００４４】
更に、前記通信可能信号及び前記通信不可信号とともに前記ＡＶデータ送信装置が現在ＡＶデータを送信している前記ＡＶデータ受信装置を表す情報を前記送受信部で受信し、前記ＡＶデータ送信装置が現在ＡＶデータを送信している前記ＡＶデータ受信装置を表示するように前記ＡＶ再生装置を制御するようにしても構わない。
【００４５】
又、前記切換確認信号を送信した前記ＡＶデータ送信装置から通信許可されていないことを示す通信対象外信号を前記送受信部で受信したとき、前記通信状態確認部が通信対象外であることを示すようにしても構わないし、又、前記切換確認信号を送信した前記ＡＶデータ送信装置から通信許可されていないことを示す通信対象外信号を前記送受信部で受信したとき、通信対象外であることを表示するように前記ＡＶ再生装置を制御するようにしても構わない。更に、前記切換確認信号を送信した後、所定時間が経過するまで、前記ＡＶデータ送信装置から応答がない場合、前記通信状態確認部によって前記ＡＶデータ送信装置から応答がないことを示すようにしても構わないし、前記ＡＶデータ再生装置で表示するように制御しても構わない。
【００４６】
上述の各ＡＶデータ受信装置において、１周期毎に前記ＡＶデータを受信するＡＶデータ送信期間を設定するとともに、１周期の該ＡＶデータ送信期間以外の期間に前記切換要求信号を送信する。
【００４７】
又、本発明のＡＶデータ無線通信システムは、音声や映像を含むＡＶデータを暗号化して送信するＡＶデータ送信装置と、受信した前記ＡＶデータを暗号化解除するＡＶデータ受信装置とによって構成するＡＶデータ無線通信システムにおいて、前記ＡＶデータ送信装置が、通信許可した前記ＡＶデータ受信装置毎に設定されるＡＶデータを暗号化する受信装置用鍵信号を複数備えるとともに、当該複数の受信装置用鍵信号よりＡＶデータの送信相手となる前記ＡＶデータ受信装置に応じた受信装置用鍵信号をデータ通信用鍵信号として選択し、選択した該データ通信用鍵信号を用いて暗号化を行って前記ＡＶデータ受信装置にＡＶデータを送信することを特徴とする。
【００４８】
このようなＡＶデータ無線通信システムにおいて、前記ＡＶデータ受信装置が前記データ通信用鍵信号を前記ＡＶデータ受信装置に応じた前記受信装置用鍵信号に切り換えることを要求する切換要求信号を送信し、前記ＡＶデータ送信装置が該切換要求信号を受信したとき、該切換要求信号を送信した前記ＡＶデータ受信装置が通信許可した装置であることを確認し、前記ＡＶデータ送信装置は、通信許可した装置であることが確認されたとき、前記データ通信用鍵信号を該ＡＶデータ受信装置に応じた受信装置鍵信号に切り換え、前記ＡＶデータ送信装置から、前記切換要求信号を送信した前記ＡＶデータ受信装置に、切り換えた前記データ通信用鍵信号で暗号化したＡＶデータを送信する。
【００４９】
このとき、前記切換要求信号が前記受信装置用鍵信号又は前記ＡＶデータ送信装置及び該ＡＶデータ送信装置が通信許可したＡＶデータ受信装置の間で共通となる特定鍵信号で暗号化されても構わないし、暗号化されなくても構わない。
【００５０】
又、前記ＡＶデータ送信装置において前記データ通信用鍵信号を、前記切換要求信号を送信した第１ＡＶデータ受信装置に応じた第１受信装置用鍵信号に切り換えたとき、切換前に前記データ通信用鍵信号として使用していた第２受信装置用鍵信号に応じた第２ＡＶデータ受信装置の動作状態を変更するように、前記ＡＶデータ送信装置より該第２ＡＶデータ受信装置に動作状態を変更させる状態変更信号を送信し、該第２ＡＶデータ受信装置が該状態変更信号を受信し、該第２ＡＶデータ受信装置の動作状態が変更する。このとき、前記第１ＡＶデータ受信装置が電源ＯＮとなることによって前記切換要求信号を送信するようにしても構わない。又、該状態変更信号として、前記ＡＶデータ受信装置を電源ＯＦＦさせるものであっても構わないし、受信のみが可能な状態に変更させるものであっても構わないし、スリープ状態のような低消費電力モードに変更させるものであっても構わない。
【００５１】
又、前記ＡＶデータ受信装置において、前記受信装置用鍵信号を変更するとともに、前記受信装置用鍵信号を情報として含む前記ＡＶデータ送信装置内の前記受信装置用鍵信号の変更を要求する変更要求信号を生成して送信し、前記ＡＶデータ送信装置において、前記変更要求信号を受信すると、記憶した前記変更要求信号を送信した前記ＡＶデータ受信装置に応じた前記受信装置用鍵信号を、前記変更要求信号より確認される前記受信装置用鍵信号に変更するようにしても構わない。
【００５２】
又、前記ＡＶデータ受信装置より前記データ通信用鍵信号が切換可能か否かを確認する切換確認信号が送信され、該切換確認信号を受信した前記ＡＶデータ送信装置が、通信可能であることを確認すると、通信可能であることを示す通信可能信号を送信し、通信不可能であることを確認すると、通信不可能であることを示す通信不可信号を送信するようにしても構わない。
【００５３】
更に、このとき、前記切換確認信号を受信した前記ＡＶデータ送信装置が、該切換確認信号を送信した前記ＡＶデータ受信装置が通信許可した装置でないとき、通信対象外であることを示す通信対象外信号を送信する。
【００５４】
上述の各ＡＶデータ無線通信システムにおいて、１周期毎に前記ＡＶデータが送受信されるＡＶデータ送信期間が設定されるとともに、１周期の該ＡＶデータ送信期間以外の期間に前記切換要求信号が送受信される。又、前記ＡＶデータ送信装置及び該ＡＶデータ送信装置が通信許可したＡＶデータ受信装置の間で共通に使用されるとともに前記ＡＶデータ送信装置及び前記ＡＶデータ受信装置を制御する電子機器を備えるようにしても構わない。
【００５５】
【発明の実施の形態】
＜第１の実施形態＞
本発明の第１の実施形態について、図面を参照して以下に説明する。図１は、本実施形態におけるＡＶデータ無線通信システムを説明するための図である。図２は、ＡＶデータ送信装置の内部構成を示すブロック図である。尚、この図２において、図２９と同一の部分については、同一の符号を付してその詳細な説明は省略する。
【００５６】
図１のＡＶデータ無線通信システムは、ＩＤコードＡ〜Ｃを記録するとともにＡＶソース機器１と有線接続されたＡＶデータ送信装置３と、ＩＤコードＡを記録するとともにＡＶ再生装置２ａと有線接続されたＡＶデータ受信装置４ａと、ＩＤコードＢを記録するとともにＡＶ再生装置２ｂと有線接続されたＡＶデータ受信装置４ｂと、ＩＤコードＣを記録するとともにＡＶ再生装置２ｃと有線接続されたＡＶデータ受信装置４ｃと、ＡＶデータ受信装置４ａ〜４ｃを操作するリモートコントローラ（リモコン）５とによって構成される。
【００５７】
又、本実施形態におけるＡＶデータ送信装置は、図２に示すように、図２９のＡＶデータ送信装置に、複数のＩＤコードを記録するとともにＩＤ記憶部５２０に記録されるＩＤコードを切り換えるＩＤ切換制御部５２１と、外部からＩＤコードの切り換えが指示されるＩＤ切換入力部５２２とが付加されるとともに、データ解析部５１３の機能にＩＤコードの切換要求を行う機能が付加されたデータ解析部５１３ａを備えた構成である。よって、図１のＡＶデータ送信装置３は、ＩＤ切換制御部５２１にＩＤコードＡ〜Ｃを備えている。又、本実施形態におけるＡＶデータ受信装置は、従来のＡＶデータ受信装置と同様、図３０のような構成となる。
【００５８】
よって、図１のＡＶデータ無線通信システムにおいて、ＡＶデータ送信装置３を図２のような構成とするとともに、ＡＶデータ受信装置４ａ〜４ｃを図３０のような構成とする。このときのＡＶデータ無線通信システムにおけるデータ通信フォーマットの一例について、図３のタイムチャートを参照して説明する。図３のタイムチャートのように、１周期のデータ通信期間５８０には、ＡＶデータ送信装置３がＡＶデータを送信する片方向ＡＶデータ伝送期間５８１と、ＡＶデータ送信装置３とＡＶデータ受信装置４ａ〜４ｃとの間で相互にデータ通信が行われる双方向データ通信期間５８２とが設けられる。
【００５９】
ＡＶデータ伝送期間５８１では、ＡＶデータ送信装置３から送信されるＡＶデータのみが送受信される期間である。そして、このＡＶデータ伝送期間５８１において、ＡＶデータ送信装置３と通信が許可されたＡＶデータ受信装置４（ＡＶデータ受信装置４ａ〜４ｃに相当する）が、ＡＶデータ送信装置３から送信される送信元及び受信先などを示す送信ヘッダ５７１とストリームデータであるＡＶデータ伝送部５７２とで構成されるＡＶデータ信号５７０を受信する。尚、このＡＶデータ伝送期間５８１において、ＡＶデータ信号５７０に複数のＡＶデータが含まれていても構わないし、又、ＡＶデータ信号５７０自身が複数送信されるようにしても構わない。
【００６０】
又、双方向データ通信期間５８２では、ＡＶデータ送信装置３及びＡＶデータ受信装置４ａ〜４ｃの間で、送信元及び受信先などを示す送信ヘッダ５７４と各種制御信号などのデータ５７５とで構成されるデータ信号５７３が、ＬＡＮ（Ｌｏｃａｌ  Ａｒｅａ  Ｎｅｔｗｏｒｋ）のように自由に送受信される。このとき、ＡＶデータ送信装置３は、例えば、ＡＶデータ受信装置４ａ〜４ｃやＡＶ再生装置２ａ〜２ｃの動作を制御する制御信号をデータ信号５７３として送信する。又、ＡＶデータ受信装置４ａ〜４ｃは、例えば、ＡＶデータ送信装置３へのＩＤコード切換要求やＡＶデータの再送要求又はＡＶソース機器の動作を制御する制御信号をデータ信号５７３として送信する。
【００６１】
このようにＡＶデータ伝送期間５８１及び双方向データ通信期間５８２が設定されているとき、ＡＶデータ送信装置３から送信されるＡＶデータ信号５７０及びデータ信号５７３は、現在通信を行っている相手となるＡＶデータ受信装置４に応じたＩＤコードで暗号化される。又、ＡＶデータ受信装置４ａ〜４ｃから送信されるデータ信号はそれぞれ、ＡＶデータ受信装置４ａ〜４ｃが格納しているＩＤコードＡ〜Ｃで暗号化される。尚、図３のデータ通信フォーマットを一例であり、他のデータ通信フォーマットを用いても構わない。
【００６２】
このように、図１のＡＶデータ無線通信システムの通信期間が設定されるとき、このＡＶデータ無線通信システムにおけるＩＤコードの切換動作について、図４のフローチャートを参照して説明する。このＩＤコードの切り換えは、リモコン５が操作されることによってＡＶデータ受信装置４ａ〜４ｃに入力され、ＡＶデータ受信装置４ａ〜４ｃよりＩＤ切換要求が成される。
【００６３】
双方データ通信期間５８２において、ＡＶデータ送信装置３がデータ信号５７３を受信すると、アンテナ５１１及びＲＦ５１０及びＢＢ５０９を介してスクランブル解除部５１２に送出される。このようにデータ信号５７３がスクランブル解除部５１２に送出されると、まず、データ解析部５１３ａよりＩＤ切換制御部５２１にＩＤコードＡが要求され、ＩＤ切換制御部５２１からＩＤコードＡがＩＤ記憶部５２０に与えられる。そして、スクランブル解除部５１２がＩＤコードＡでデータ信号５７３の暗号化を解除する（ＳＴＥＰ０）。
【００６４】
データ信号５７３の暗号化を解除した結果がデータ解析部５１３ａに与えられると、暗号化解除されたか否かが確認される（ＳＴＥＰ１）。このとき、ＩＤコードＡで暗号化解除されたことが確認されると（Ｙｅｓ）、データ解析部５１３ａにおいて、解除されたデータ信号５７３がＡＶデータ送受信時のＩＤコードをＩＤコードＡに変換するためのＩＤ切換要求信号であるか否か確認する（ＳＴＥＰ２）。そして、ＩＤ切換要求信号であることが確認すると（Ｙｅｓ）、ＩＤ切換制御部５２１においてＩＤコードの切り換えが許可されているか否かが確認される（ＳＴＥＰ３）。
【００６５】
このとき、例えば、ＡＶソース機器１からのＡＶデータによるコンテンツが試聴途中であるときや、双方向データ通信期間５８２に送信されてから既にＩＤコードが一度切り換えられている場合などにおいて、ＩＤコードの切り換えが禁止される。そして、ＳＴＥＰ３において、ＩＤコードの切り換えが許可されていることが確認されると（Ｙｅｓ）、ＩＤ切換制御部５２１によってＩＤ記憶部５２０に格納されているＩＤコードＡが固定されるとともに、現在の双方向データ通信期間５８２にＩＤ切換要求信号を受信して他のＩＤコードに切り換えられないように、ＩＤコードの切り換えを禁止する（ＳＴＥＰ４）。
【００６６】
又、ＳＴＥＰ１において、ＩＤコードＡで暗号化解除できなかった場合（Ｎｏ）、データ解析部５１３ａによってＩＤコードＢへの切り換えが要求され、ＩＤ切換制御部５２１によってＩＤ記憶部５２０に格納するＩＤコードがＩＤコードＢに切り換えられるとともに、このＩＤコードＢでデータ信号５７３の暗号化解除が行われる（ＳＴＥＰ５）。
【００６７】
そして、ＩＤコードＡの場合と同様、ＩＤコードＢによる暗号化解除が成されたか確認され（ＳＴＥＰ６）、暗号化解除されていると（Ｙｅｓ）、ＩＤ切換要求信号であるか否かが確認される（ＳＴＥＰ７）。このとき、ＩＤ切換要求信号である場合（Ｙｅｓ）、ＩＤコードの切り換えが許可されているか否かが確認される（ＳＴＥＰ８）。更に、ＩＤコードの切り換えが許可されているとき（Ｙｅｓ）、ＩＤコード記憶部５２０内のＩＤコードをＩＤコードＢに固定するとともに、ＩＤコードの切り換えを禁止する（ＳＴＥＰ９）。
【００６８】
更に、ＳＴＥＰ６において、ＩＤコードＡで暗号化解除できなかった場合、ＩＤ切換制御部５２１によってＩＤ記憶部５２０に格納するＩＤコードがＩＤコードＣに切り換えられて、このＩＤコードＣでデータ信号５７３の暗号化解除が行われる（ＳＴＥＰ１０）。そして、ＩＤコードＡの場合と同様、ＳＴＥＰ１１でＩＤコードＣによる暗号化解除が成されたか否かが、ＳＴＥＰ１２でＩＤ切換要求信号であるか否かが、ＳＴＥＰ１３でＩＤコードの切り換えが許可されているか否かが、それぞれ確認される。ＩＤコードＣで暗号化解除されたデータ信号５７３がＩＤ切換要求信号であるとともにＩＤコードの切り換えが許可されるとき、ＩＤコード記憶部５２０内のＩＤコードをＩＤコードＣに固定するとともに、ＩＤコードの切り換えを禁止する（ＳＴＥＰ１４）。
【００６９】
又、ＳＴＥＰ４、ＳＴＥＰ９、ＳＴＥＰ１４でＩＤコードの切り換えが行われたとき、又は、ＳＴＥＰ２、ＳＴＥＰ７、ＳＴＥＰ１２でデータ信号５７３がＩＤ切換要求信号でないとき（Ｎｏ）、又は、ＳＴＥＰ３、ＳＴＥＰ８、ＳＴＥＰ１３でＩＤコードの切り換えが禁止されているとき（Ｎｏ）、又、ＳＴＥＰ１１でＩＤコードＣによって暗号化解除できなかったとき（Ｎｏ）、ＩＤコードの切換動作を終了する。
【００７０】
このようなＩＤコードの切換動作が行われるときのＡＶデータ無線通信システムにおける状態遷移例を、図５に示す。まず、図５（ａ）のように、ＡＶデータ送信装置３がＩＤコードＡでＡＶデータ信号５７０を暗号化して送信しているとき、ＩＤコードＡを格納するＡＶデータ受信装置４ａのみがＡＶデータ信号５７０を受信する。よって、ＡＶデータ受信装置４ｂ，４ｃは受信不可能な状態である。
【００７１】
その後、双方向データ通信期間５８２に遷移し、図５（ｂ）のように、ＡＶデータ受信装置４ｂがＩＤコードＢで暗号化したＩＤ切換要求信号となるデータ信号５７３を送信すると、ＡＶデータ送信装置３では、ＩＤコードＢでこのデータ信号５７３の暗号化解除を行う。そのため、データ送信装置３は、ＩＤコードＢを格納しているＡＶデータ受信装置４ｂによってＩＤコードの切り換えが要求されていることを確認し、ＩＤ切換制御部５２１によってＩＤ記憶部５２０に格納するＩＤコードをＩＤコードＢに切り換える。そして、図５（ｃ）のように、ＡＶデータ送信装置３が、ＡＶデータ受信装置４ｂに対して、ＩＤコードＢで暗号化したＡＶデータ信号５７０及びデータ信号５７３を送信する。
【００７２】
このように、ＡＶデータ送信装置３とＡＶデータ受信装置４ｂとの間でＡＶデータ無線通信が行われているとき、図５（ｄ）のように、ＩＤコードＤを格納するＡＶデータ受信装置４ｄがＩＤコードＤで暗号化したＩＤ切換要求信号となるデータ信号５７３を送信すると、ＡＶデータ送信装置３では、ＩＤコードＡ〜Ｃのいずれでも暗号化解除ができない。よって、ＡＶデータ受信装置４ｄが通信許可した受信装置でないことをＡＶデータ送信装置３が認識するため、ＩＤ記憶部５２０に格納するＩＤコードをＩＤコードＢのままとする。そして、図５（ｅ）のように、ＡＶデータ送信装置３とＡＶデータ受信装置４ｂとの間でＡＶデータ無線通信が続けられる。
【００７３】
このように、本実施形態によると、ＡＶデータ送信装置３で管理されるＩＤコードＡ〜Ｃを備えたＡＶデータ受信装置４ａ〜４ｃだけに、ＡＶデータ無線通信を行うことが許可される。又、ＡＶデータ無線通信をＡＶデータ送信装置４からの要求によって行うことができる。又、本実施形態では、ＩＤ切換入力部５２２が操作されることによって、ＩＤ切換制御部５２１がＩＤ記憶部５２０に格納されるＩＤコードを切り換える。
【００７４】
尚、本実施形態において、ＡＶデータ送信装置が、ＡＶデータ受信装置からのＩＤ切換要求信号によってＩＤコードの切り換えを確認するものとしたが、双方向データ通信期間にＡＶデータ受信装置から送信されたデータ信号を受信することで、ＩＤ切換要求がなされたことを確認するようにしても構わない。このとき、図４のフローチャートにおいて、ＳＴＥＰ２、ＳＴＥＰ７、ＳＴＥＰ１２の動作を省略することができる。
【００７５】
＜第２の実施形態＞
本発明の第２の実施形態について、図面を参照して以下に説明する。尚、本実施形態のＡＶデータ無線通信システム及びＡＶデータ送信装置及びＡＶデータ受信装置それぞれの構成は、第１の実施形態と同様、図１のＡＶデータ無線通信システム及び図２のＡＶデータ送信装置及び図３０のＡＶデータ受信装置のような構成となる。よって、本実施形態では、第１の実施形態と動作が異なるＩＤ切換動作について、図６のフローチャートを参照して説明する。
【００７６】
双方データ通信期間５８２において、ＡＶデータ送信装置３がデータ信号５７３を受信すると（ＳＴＥＰ２０）、スクランブル解除部５１２が現在ＩＤ記憶部５２０に格納しているＩＤコードを用いてデータ信号５７３の暗号化を解除し、その結果をデータ解析部５１３ａに送出する（ＳＴＥＰ２１）。そして、データ解析部５１３ａにおいて、暗号化解除されたか否かが確認される（ＳＴＥＰ２２）。
【００７７】
このとき、暗号化解除されたことが確認されると（Ｙｅｓ）、データ信号５７３によって要求される処理動作が行われる（ＳＴＥＰ２３）。即ち、現在ＡＶデータ通信を行っているＡＶデータ受信装置４（ＡＶデータ受信装置４ａ〜４ｃに相当する）からのデータ信号５７３であるため、データ信号５７３は、ＡＶデータの再送要求信号又はＡＶソース機器１の動作を制御する制御信号となる。よって、ＡＶデータの再送処理やＡＶソース機器１の制御処理などを行い、ＩＤ切換動作を終了する。
【００７８】
又、ＳＴＥＰ２２において、ＩＤ記憶部５２０に格納されたＩＤコードで暗号化解除できなかった場合（Ｎｏ）、データ解析部５１３ａによってＩＤコードの切り換えが要求され、ＩＤ切換制御部５２１によってＩＤ記憶部５２０に格納するＩＤコードが切り換えられるとともに、切り換えられたＩＤコードでデータ信号５７３の暗号化解除が行われる（ＳＴＥＰ２４）。そして、暗号化解除されたか否かが確認される（ＳＴＥＰ２５）。
【００７９】
このとき、暗号化解除されたことが確認されると（Ｙｅｓ）、データ解析部５１３ａにおいて、解除されたデータ信号５７３がＡＶデータ送受信時のＩＤコードを切り換えるためのＩＤ切換要求信号であるか否か確認する（ＳＴＥＰ２６）。そして、ＩＤ切換要求信号であることが確認すると（Ｙｅｓ）、ＩＤ切換制御部５２１においてＩＤコードの切り換えが許可されているか否かが確認される（ＳＴＥＰ２７）。
【００８０】
このとき、ＩＤコードの切り換えが許可されていることが確認されると（Ｙｅｓ）、ＩＤ切換制御部５２１によってＳＴＥＰ２４で切り換えられてＩＤ記憶部５２０に格納されたＩＤコードが固定されるとともに、現在の双方向データ通信期間５８２にＩＤ切換要求信号を受信して他のＩＤコードに切り換えられないように、ＩＤコードの切り換えを禁止する（ＳＴＥＰ２８）。
【００８１】
又、ＳＴＥＰ２５において、切り換えたＩＤコードで暗号化解除できなかった場合（Ｎｏ）、ＩＤ切換制御部５２１で記録されるＩＤコード全てについて、暗号化解除が行われた否かが確認される（ＳＴＥＰ２９）。そして、まだ使用されていないＩＤコードがＩＤ切換制御部５２１で確認されたとき、ＳＴＥＰ２４においてＩＤ記憶部５２０に格納するＩＤコードを使用されていないＩＤコードに切り換えて暗号化解除を行う。
【００８２】
この図６のフローチャートに従って動作するとき、ＳＴＥＰ２３でデータ信号５７３に基づく動作を行ったとき、又は、ＳＴＥＰ２６でＩＤ切換信号でないことが確認されたとき（Ｎｏ）、又は、ＳＴＥＰ２７で切換可能でないとき（Ｎｏ）、又は、ＳＴＥＰ２８でＩＤコードの切り換えが行われたとき、又は、ＳＴＥＰ２９でＩＤ全てについて行われたことが確認されたとき（Ｙｅｓ）、ＩＤ切換動作を終了する。
【００８３】
このように、本実施形態によると、第１の実施家板と異なり、まず、現在ＩＤ記憶部５２０に格納されているＩＤコードによる暗号化解除を行う。即ち、ＩＤコードＡ〜Ｃを備えたＡＶデータ装置３において、ＩＤ記憶部５２０にＩＤコードＢが格納されているとき、データ信号５７３を受信すると、まず、ＩＤコードＢで暗号化解除を行う。このとき、暗号化解除が可能である場合、データ通信相手となるＡＶデータ受信装置４ｂからのデータ信号５７３であることが確認されるため、ＩＤ切換動作を省略することができる。逆に、暗号化解除ができない場合は、残りのＩＤコードＡ，Ｃに切り換えて暗号化解除を行い、ＩＤ切換要求がなされているか確認することができる。よって、第１の実施形態のように、全てのＩＤコードについて暗号化解除を行う必要がなくなり、その動作を簡単なものとすることができる。
【００８４】
尚、本実施形態において、第１の実施形態と同様、双方向データ通信期間にＡＶデータ受信装置から送信されたデータ信号を受信することで、ＩＤ切換要求がなされたことを確認するようにして、図６のフローチャートにおいて、ＳＴＥＰ２６の動作を省略しても構わない。又、本実施形態のようにＩＤ切換動作を行ったときも、第１の実施形態と同様、図５の例に示される状態遷移を行う。
【００８５】
＜第３の実施形態＞
本発明の第３の実施形態について、図面を参照して以下に説明する。尚、本実施形態のＡＶデータ無線通信システム及びＡＶデータ送信装置それぞれの構成は、第１の実施形態と同様、図１のＡＶデータ無線通信システム及び図２のＡＶデータ送信装置のような構成となる。又、ＡＶデータ受信装置は、図７のブロック図で表される構成となる。
【００８６】
本実施形態のＡＶデータ受信装置は、図７に示すように、図３０のＡＶデータ受信装置と異なり、ＡＶデータ受信装置に接続されるＡＶ再生装置やＡＣ電源などの外部機器を制御することが可能な制御部５６１を備える。この制御部５６１は、デジタル出力解析部５４９で処理されたときに確認された外部機器を制御する制御信号が与えられ、この制御信号に基づいて、外部機器を制御する。
【００８７】
又、本実施形態のＡＶデータ無線通信システムでは、第１及び第２の実施形態と異なり、ＩＤ記憶部５２０のＩＤコードを切り換えると、ＩＤコードを切り換える前にＡＶデータ送信装置３から送信されるＡＶデータ信号５７０を受信していたＡＶデータ受信装置４（ＡＶデータ受信装置４ａ〜４ｃに相当する）の電源をＯＦＦとする。尚、本実施形態のＡＶデータ無線通信システムでは、第１又は第２の実施形態のいずれかと同様のＩＤ切換動作が行われる。即ち、ＡＶデータ送信装置３が、現在設定されているＩＤコード以外のＩＤコードを備えたＡＶデータ受信装置４よりＩＤ切換要求が成されたとき、図４又は図６のフローチャートに従ってＩＤ切換動作を行う。
【００８８】
このように、ＡＶデータ送信装置３がＩＤ切換動作を行うことで、ＡＶデータ送信装置３のＩＤ記憶部５２０に格納されたＩＤコードが切り換えられて、切り換えられたＩＤコードを用いてＡＶデータ無線通信が行われようとする。このとき、切り換える前にＩＤ記憶部５２０に格納されて暗号化に使用されていたＩＤコードがＩＤ切換制御部５２１によって記憶される。その後、図８に示すフローチャートに従って、ＡＶデータ送信装置３が動作する。
【００８９】
このときのＡＶデータ送信装置３の動作について、以下に説明する。まず、ＩＤ切換制御部５２１に記憶されたＩＤコードを切り換える前に使用されていたＩＤコード（「切換前のＩＤコード」とする）を確認する（ＳＴＥＰ４１）。そして、ＩＤ切換制御部５２１が、ＩＤ切換動作の終了後にＩＤ記憶部５２０に格納されたＩＤコード（「切換後のＩＤコード」とする）を確認した切換前のＩＤコードに一時的に置換する（ＳＴＥＰ４２）。よって、このとき、ＩＤ記憶部５２０の記録状態が、一時的に、図４又は図６のフローチャートのＩＤ切換動作が行われる前の状態となる。
【００９０】
そして、データ生成部５０５によって、ＡＶデータ受信装置４の電源をＯＦＦするための制御信号（以下、「ＯＦＦ信号」とする）を生成した後、このＯＦＦ信号に誤り訂正符号付加部５０６で誤り訂正符号を付加する（ＳＴＥＰ４３）。その後、データスクランブル部５０７において、ＩＤ記憶部５２０に一時的に置換されて格納された切換前のＩＤコードが読み出されて誤り訂正符号が付加されたＯＦＦ信号が暗号化される（ＳＴＥＰ４４）。
【００９１】
このように切換前のＩＤコードで暗号化されたＯＦＦ信号は、ＢＢ５０９及びＲＦ５１０及びアンテナ５１１を介して送信される（ＳＴＥＰ４５）。そして、このＯＦＦ信号を送信すると、ＩＤ切換制御部５２１によって、ＩＤ記憶部５２０に記憶するＩＤコードを、図４又は図６のフローチャートのＩＤ切換動作で設定された切換後のＩＤコードに戻す（ＳＴＥＰ４６）。
【００９２】
そして、このようなＯＦＦ信号が、切換前のＩＤコードを格納するＡＶデータ受信装置４によって受信されると、このＡＶデータ受信装置４が図９のフローチャートに従って電源ＯＦＦ処理を行う。このとき、アンテナ５４１及びＲＦ５４２及びＢＢ５４３を介して受信した信号をスクランブル解除部５４４に送出し、ＩＤ記憶部５６０に格納しているＩＤコードによって暗号化を解除した後、データ解析部５４５において受信した信号の内容を解析する（ＳＴＥＰ５０）。
【００９３】
そして、受信した信号がＯＦＦ信号であるか否かデータ解析部５４５で確認する（ＳＴＥＰ５１）。このとき、ＯＦＦ信号であることが確認されると（Ｙｅｓ）、接続されたＡＶ再生装置２（ＡＶ再生装置２ａ〜２ｃに相当する）や外部ＡＣ電源などの外部機器の制御が有効とされているか否か制御部５６１にて確認される（ＳＴＥＰ５２）。そして、外部機器の動作制御が有効とされているとき（Ｙｅｓ）、デジタル出力解析部５４９を介してＯＦＦ信号が制御部５６１に与えられて、制御部５６１によってＡＶ再生装置２をＯＦＦするように制御する（ＳＴＥＰ５３）。その後、制御部５６１により外部ＡＣ電源をＯＦＦするように制御する（ＳＴＥＰ５４）。
【００９４】
このようにＡＶ再生装置２の電源をＯＦＦしたとき、又は、ＳＴＥＰ５２で外部機器の動作制御が無効とされていることが確認されたとき（Ｎｏ）、ＡＶデータ受信装置４自身の電源をＯＦＦにし（ＳＴＥＰ５５）、ＯＦＦ信号受信時の動作を終了する。又、ＳＴＥＰ５１でＯＦＦ信号でないことが確認されたとき（Ｎｏ）、動作を終了する。このとき、ＳＴＥＰ５５におけるＡＣ電源をＯＦＦするための制御動作を省くようにしても構わないし、又、ＳＴＥＰ５４のＡＶ再生装置２をＯＦＦする制御動作を省いて直接ＡＣ電源をＯＦＦすることでＡＶ再生装置２をＯＦＦするようにしても構わない。
【００９５】
又、本実施形態のＡＶデータ無線通信システムにおいて、ＡＶデータ受信装置４はリモコン５が操作されたり又は直接操作されることにより電源ＯＮとされると、ＡＶデータ送信装置３からのＡＶデータ信号５７０を受信するために、自機器が格納するＩＤコードへの切換要求を行う。この電源ＯＮしたときのＡＶデータ受信装置４の動作について、図１０のフローチャートを参照して以下に説明する。
【００９６】
ＡＶデータ受信装置４の電源がＯＮとされると（ＳＴＥＰ６１）、データ生成部５５５において、ＡＶデータ送信装置３のＩＤ記憶部５２０に格納されるＩＤコードを自機器のＩＤ記憶部５６０に格納するＩＤコードに切り換えるように指示するためのＩＤ切換要求信号を生成し、ＢＢ５４３及びＲＦ５４２及びアンテナ５４１を介して送信する（ＳＴＥＰ６２）。このとき、ＩＤ切換要求信号は、誤り訂正符号付加部５５６で誤り訂正符号が付加された後、データスクランブル５５７においてＩＤ記憶部５６０に格納したＩＤコードで暗号化されて、送信される。
【００９７】
よって、このＩＤ切換要求信号を受信したＡＶデータ送信装置３は、図４又は図６のフローチャートに従ってＩＤ切換動作を行う。又、ＡＶデータ受信装置４は、ＩＤ切換要求信号を送信した後、接続されたＡＶ再生装置２及びＡＣ電源などの外部機器の制御動作が有効とされているか否か制御部５６１にて確認する（ＳＴＥＰ６３）。そして、外部機器の動作を制御することができるとき（Ｙｅｓ）、まず、制御部５６１によって外部ＡＣ電源をＯＮとするように制御する（ＳＴＥＰ６４）。
【００９８】
次に、制御部５６１によってＡＶ再生装置２をＯＮとするように制御した後（ＳＴＥＰ６５）、ＡＶ再生装置２へアナログ出力部５４８からＡＶデータを入力可能とするために、ＡＶ再生装置２をデータ入力状態に切り換える（ＳＴＥＰ６６）。このようにＡＶ再生装置２の入力切換を行ったとき、又は、ＳＴＥＰ６３でＡＶ再生装置２の動作を制御することができないことが確認されたとき（Ｎｏ）、電源ＯＮ時の処理動作を終了する。
【００９９】
このようにすることで、ＡＶデータ受信装置４の電源をＯＮにするだけで、ＡＶデータ送信装置３のＩＤ切換要求を行うとともに、ＡＶ再生装置２の起動を行うことが出来る。尚、ＳＴＥＰ６３〜ＳＴＥＰ６６のＡＶ再生装置２の起動制御の後にＳＴＥＰ６２のＩＤ切換要求動作を行うようにしてもよい。又、ＡＶ再生装置２及びＡＣ電源などの外部機器の制御も、ＡＣ電源のＯＮを行わず、ＡＶ再生装置２の電源機能をＯＮにするだけでも構わない。
【０１００】
本実施形態のように、ＩＤコードの切換動作とＡＶデータ受信装置４の電源ＯＮ／ＯＦＦ動作とが連動されて行われるＡＶデータ無線通信システムにおける状態遷移例を、図１１に示す。まず、図１１（ａ）のように、ＡＶデータ送信装置３がＩＤコードＡでＡＶデータ信号５７０を暗号化して送信しているとき、ＩＤコードＡを格納するＡＶデータ受信装置４ａのみがＡＶデータ信号５７０を受信する。このとき、ＡＶ再生装置２ａが電源ＯＮの状態であるとともに、ＡＶ再生装置２ｂ，２ｃ及びＡＶデータ受信装置４ｂ，４ｃは電源ＯＦＦの状態である。
【０１０１】
その後、図１１（ｂ）のように、ＡＶデータ受信装置４ｂが電源ＯＮとなると、ＡＶ再生装置２ｂを電源ＯＮとするとともに、双方向データ通信期間５８２においてＩＤコードＢで暗号化したＩＤ切換要求信号となるデータ信号５７３を送信する。よって、ＡＶデータ送信装置３では、ＩＤコードＢでこのデータ信号５７３の暗号化解除を行い、ＩＤ記憶部５２０に格納するＩＤコードをＩＤコードＢに切り換える。その後、一時、ＩＤ記憶部５２０のＩＤコードを切換前のＩＤコードであるＩＤコードＡとし、このＩＤコードＡによってＡＶデータ受信装置４ａを電源ＯＦＦにするＯＦＦ信号を暗号化して送信する。
【０１０２】
よって、図１１（ｃ）のように、ＡＶデータ受信装置４ａがＩＤコードＡで暗号化されたＯＦＦ信号を受信して、ＡＶ再生装置２ａを電源ＯＦＦとするとともにＡＶデータ受信装置４ａ自身も電源ＯＦＦとなる。そして、ＡＶデータ送信装置３が、ＡＶデータ受信装置４ｂに対して、ＩＤコードＢで暗号化したＡＶデータ信号５７０及びデータ信号５７３を送信する。
【０１０３】
このように、ＡＶデータ送信装置３とＡＶデータ受信装置４ｂとの間でＡＶデータ無線通信が行われているとき、図１１（ｄ）のように、ＩＤコードＤを格納するＡＶデータ受信装置４ｄが電源ＯＮとなり、ＡＶデータ再生装置２ｄを電源ＯＮとするとともにＩＤコードＤで暗号化したＩＤ切換要求信号となるデータ信号５７３を送信すると、ＡＶデータ送信装置３では、ＩＤコードＡ〜Ｃのいずれでも暗号化解除ができない。よって、ＡＶデータ受信装置４ｄが通信許可した受信装置でないことをＡＶデータ送信装置３が認識するため、ＩＤ記憶部５２０に格納するＩＤコードをＩＤコードＢのままとする。そして、図１１（ｅ）のように、ＡＶデータ送信装置３とＡＶデータ受信装置４ｂとの間でＡＶデータ無線通信が続けられる。
【０１０４】
このように、本実施形態によると、ＡＶデータ受信装置４が電源ＯＮすることによって、ＡＶデータ送信装置３とデータ通信を行うために、ＡＶデータ送信装置３のＩＤ記憶部５２０に格納されるＩＤコードを自機器のＩＤ記憶部５６０に格納しているＩＤコードに切り換えることを要求することができる。よって、ＡＶデータ受信装置４がＯＮすることによって、自動的にＡＶデータ送信装置３とのデータ通信を確立することができる。
【０１０５】
又、ＡＶデータ送信装置３に対してＩＤ切換要求が成されて、ＩＤ記憶部５２０に格納されるＩＤコードが切り換えられると、ＩＤ切換前にＡＶデータ送信装置３とデータ通信を行っていたＡＶデータ受信装置４を電源ＯＦＦとすることができる。よって、ＡＶデータ送信装置３とデータ通信を行っていないＡＶデータ受信装置４について電源をＯＦＦすることができ、ＡＶデータ無線通信システム内における消費電力を低減することができる。
【０１０６】
尚、本実施形態において、ＡＶデータ受信装置４がＡＶデータ無線通信から外れたとき、ＡＶデータ受信装置４及びＡＶ再生装置２などの外部機器を電源ＯＦＦするものとしたが、ＡＶデータ受信装置４がＯＦＦ信号を受信したとき、スリープ状態やサスペンド状態などの低消費電力モードとなるようにしても構わない。更に、ＡＶデータ受信装置４においては、ＡＶデータ受信装置４がＯＦＦ信号を受信したとき、受信のみが可能な動作状態となるようにしても構わない。
【０１０７】
＜第４の実施形態＞
本発明の第４の実施形態について、図面を参照して以下に説明する。尚、本実施形態のＡＶデータ無線通信システム及びＡＶデータ送信装置及びＡＶデータ受信装置それぞれの構成は、第１〜第３の実施形態と同様、図１のＡＶデータ無線通信システム及び図２のＡＶデータ送信装置及び図３０又は図７のＡＶデータ受信装置のような構成となる。
【０１０８】
本実施形態のＡＶデータ無線通信システムでは、第１〜第３の実施形態と異なり、ＡＶデータ受信装置４において、ＡＶデータ送信装置３のＩＤ記憶部５２０のＩＤコードが切換可能であるか否かの確認が行われた後、ＩＤ切換要求が行われる。尚、本実施形態のＡＶデータ無線通信システムでは、第１又は第２の実施形態のいずれかと同様のＩＤ切換動作が行われる。又、ＡＶデータ送信装置３においてＩＤ切換動作を行った後、第３の実施形態と同様、ＡＶデータ送信装置３が図９のフローチャートに従って動作するとともにＡＶデータ受信装置４（ＡＶデータ受信装置４ａ〜４ｃに相当する）が図１０のフローチャートに従って動作する。
【０１０９】
即ち、ＡＶデータ送信装置３が、ＡＶデータ受信装置４よりＩＤ切換要求が成されたとき、図４又は図６のフローチャートに従ってＩＤ切換動作を行う。そして、ＡＶデータ送信装置３よりＯＦＦ信号が送信され、ＡＶデータ送信装置３とのＡＶデータ通信が切断されたＡＶデータ受信装置４及びＡＶ再生装置２（ＡＶ再生装置２ａ〜２ｃに相当する）の電源がＯＦＦとされる。
【０１１０】
このように、ＡＶデータ送信装置３及びＡＶデータ受信装置４がＩＤ切換動作を行うＡＶデータ無線通信システムにおいて、上述したように、ＩＤ切換が可能であるか否かを確認するためのＩＤ切換確認動作が行われる。このとき、ＡＶデータ送信装置３が図１２のフローチャートに従って動作し、ＡＶデータ受信装置４が図１３のフローチャートに従って動作する。
【０１１１】
まず、ＡＶデータ受信装置４が電源ＯＮとなったときなどの所定動作が行われたときやユーザによって操作されるとき、ＩＤ切換が可能か否かを確認するためのＩＤ切換確認動作を開始する。そして、データ生成部５５５でＩＤ切換確認信号を生成し、誤り訂正符号付加部５５６で誤り訂正符号を付加した後、データスクランブル部５５７でＩＤ記憶部５６０に格納したＩＤコードにより暗号化して、ＢＢ５４３及びＲＦ５４２及びアンテナ５４１を介して送信する（ＳＴＥＰ８０）。
【０１１２】
又、ＡＶデータ送信装置３は、双方向データ通信期間５８２において、アンテナ５１１及びＲＦ５１０及びＢＢ５０９を介してデータ信号５７３を受信すると、ＩＤ記憶部５２０内のＩＤコードをＩＤ切換制御部５２１で切り換えるとともにＩＤ記憶部５２０内のＩＤコードを利用してスクランブル解除部５１２で暗号化の解除を行うことが可能であるか否かが確認される（ＳＴＥＰ７０）。
【０１１３】
このとき、図４のフローチャートにおけるＩＤ切換動作のように、ＩＤ記憶部５２０内のＩＤコードをＡ→Ｂ→Ｃの順に解除可能か否かを確認するようにしても構わないし、図６のフローチャートにおけるＩＤ切換動作のように、現在ＩＤ記憶部５２０に格納されているＩＤコードから順に解除可能か否かを確認するようにしても構わない。
【０１１４】
そして、受信したデータ信号５７３がＩＤ切換制御部５２１で記録した複数のＩＤコードいずれかで暗号化を解除されたことがデータ解析部５１３ａで確認されると（Ｙｅｓ）、この解除されたデータ信号５７３がＩＤ切換確認信号であるか否かが確認される（ＳＴＥＰ７１）。尚、このように暗号化解除されたとき、暗号化解除するために利用したＩＤコードがＩＤ記憶部５２０内に一時的に格納される。このとき、データ解析部５１３ａでデータ信号５７３がＩＤ切換確認信号であることが確認されると（Ｙｅｓ）、ユーザによってＩＤ記憶部５２０に格納されたＩＤコードが切換不可能と指示されているか否かが確認される（ＳＴＥＰ７２）。
【０１１５】
尚、このＩＤ記憶部５２０内のＩＤコードが切換不可能にするために、ＩＤ切換制御部５２１の状態が設定され、このように設定された状態を固定モードと呼ぶ。又、この固定モードは、ＩＤ切換入力部５２２が操作されることによって指定されるようにしても構わないし、ＡＶデータ送信装置３とＡＶデータ通信が接続されたＡＶデータ受信装置４より制御信号を送信することで指定されるようにしても構わない。
【０１１６】
ＳＴＥＰ７２において、ＩＤ切換制御部５２１の状態より固定モードでないことが確認されると（Ｎｏ）、ＩＤ記憶部５２０のＩＤコードが切換可能であることを示す切換可能信号をデータ生成部５０５で生成する（ＳＴＥＰ７３）。そして、誤り訂正符号付加部５０６でこの切換可能信号に誤り訂正符号を付加した後、データスクランブル部５０７で一時的に格納されているＩＤ記憶部５２０内のＩＤコード（ＳＴＥＰ７０で暗号化解除したときに使用したＩＤコード）により暗号化を施し、ＢＢ５０９及びＲＦ５１０及びアンテナ５１１を介して送信する（ＳＴＥＰ７４）。
【０１１７】
逆に、ＳＴＥＰ７２において、ＩＤ切換制御部５２１の状態より固定モードであることが確認されると（Ｙｅｓ）、ＩＤ記憶部５２０のＩＤコードが切換不可能であることを示す切換不可信号をデータ生成部５０５で生成する（ＳＴＥＰ７５）。そして、ＳＴＥＰ７４と同様、誤り訂正符号付加部５０６でこの切換不可信号に誤り訂正符号を付加した後、データスクランブル部５０７で一時的に格納されているＩＤ記憶部５２０内のＩＤコードにより暗号化を施し、ＢＢ５０９及びＲＦ５１０及びアンテナ５１１を介して送信する（ＳＴＥＰ７６）。
【０１１８】
ＳＴＥＰ７４において切換可能信号を送信した後、又は、ＳＴＥＰ７６において切換不可信号を送信した後、ＩＤ記憶部５２０が、ＳＴＥＰ７０における暗号化解除を確認する前に格納していたＩＤコードを格納するように、ＩＤ切換制御部５２１によって切り換えられる（ＳＴＥＰ７７）。このように、ＩＤ記憶部５２０のＩＤコードを元の状態に置換すると、動作を終了する。
【０１１９】
又、ＳＴＥＰ７０においてＩＤ切換制御部５２１に記録した複数のＩＤコードいずれを用いても暗号化解除ができなかったとき（Ｎｏ）、受信した信号を送信したＡＶデータ受信装置４がＡＶデータ送信装置３とデータ通信不可能な切換対象外の装置であることを示すため、受信した信号を切換対象外信号としてＢＢ５０９及びＲＦ５１０及びアンテナ５１１を介して送信し（ＳＴＥＰ７８）、動作を終了する。尚、受信した信号は、図１２のフローチャートによる動作が終了するまで、ＢＢ５０９内に一時的に格納されているものとする。
【０１２０】
又、ＳＴＥＰ７１において、ＩＤ切換確認信号でなかった場合、図１２のフローチャートによる動作を終了する。このとき、暗号化解除されたデータ信号５７３の内容がデータ解析部５１３ａで確認され、その内容に応じた動作が行われる。即ち、例えば、ＩＤ切換要求信号である場合、図４又は図６のフローチャートに遷移し、ＩＤ切換可能か確認した後（ＳＴＥＰ３、ＳＴＥＰ８、ＳＴＥＰ１３、ＳＴＥＰ２７）、ＩＤ切換可能で有る場合、ＩＤ記憶部５２０のＩＤコードを切り換える（ＳＴＥＰ４、ＳＴＥＰ９、ＳＴＥＰ１４、ＳＴＥＰ２８）。
【０１２１】
このとき、ＳＴＥＰ７０の確認前にＩＤ記憶部５２０に格納されたＩＤコード以外のＩＤコードで暗号化された場合、直接、ＩＤ記憶部５２０のＩＤコードを切り換えるようにしても構わない。又、ＳＴＥＰ７０の確認前にＩＤ記憶部５２０に格納されたＩＤコードによって暗号化された再送要求信号又はＡＶソース機器１の動作を制御する制御信号で有る場合、ＡＶデータの再送処理やＡＶソース機器１の制御処理などを行う。
【０１２２】
このように、ＡＶデータ送信装置３から確認結果信号となる切換可能信号又は切換不可信号又は切換対象外信号が送信されるとき、ＡＶデータ受信装置４では、ＡＶデータ送信装置３からの確認結果信号を受信したか否かを確認する（ＳＴＥＰ８１）。そして、アンテナ５４１及びＲＦ５４２及びＢＢ５４３を介して確認結果信号を受信すると、スクランブル解除部５４４でＩＤ記憶部５６０のＩＤコードを用いて暗号化解除を行い、データ解析部５４５で、まず、確認結果信号が切換対象外信号であるかを確認する（ＳＴＥＰ８２）。
【０１２３】
このとき、切換対象外信号でない場合（Ｎｏ）、次に、切換不可信号であるか確認される（ＳＴＥＰ８３）。そして、切換不可信号でない場合（Ｎｏ）、ＩＤ切換可能であることを示す表示を行い（ＳＴＥＰ８４）、切換不可信号である場合（Ｙｅｓ）、ＩＤ切換不可能であることを示す表示を行う（ＳＴＥＰ８５）。更に、ＳＴＥＰ８２で切換対象外信号である場合（Ｙｅｓ）、ＩＤ切換の対象とされていないことを示す表示を行う（ＳＴＥＰ８６）。
【０１２４】
又、ＳＴＥＰ８１で確認結果信号の受信が確認されなかったとき（Ｎｏ）、切換確信信号を送信してから所定時間が経過したか否かを確認する（ＳＴＥＰ８７）。このとき、所定時間が経過していない場合（Ｎｏ）、再び、ＳＴＥＰ８１に移行して確認結果信号の受信が確認され、又、所定時間が経過した場合（Ｙｅｓ）、ＡＶデータ送信装置３より確認結果信号が送信されなかったことを示す表示を行う（ＳＴＥＰ８８）。
【０１２５】
このように、ＡＶデータ送信装置３及びＡＶデータ受信装置４によってＩＤ切換確認動作が行われるときの動作例について、図１４を参照して説明する。まず、図１４（ａ）のように、ＩＤコードＡ〜Ｃを備えるとともに固定モードでないＡＶデータ送信装置３にＡＶデータ受信装置４ａがＩＤコードＡで暗号化したＩＤ切換確認信号ＡＳＫを送信したとき、ＡＶデータ送信装置３は、切換可能信号を送信する。よって、ＡＶデータ受信装置４ａは、切換可能信号を受信して切換可能であることを認識し、ＬＥＤなどの発光部４０を点灯することで切換可能であることを表示させる。
【０１２６】
又、図１４（ｂ）のように、ＡＶデータ送信装置３がＩＤ記憶部５２０に格納したＩＤコードＢで固定モードとされるとき、ＡＶデータ送信装置３にＡＶデータ受信装置４ａがＩＤコードＡで暗号化したＩＤ切換確認信号ＡＳＫを送信すると、ＡＶデータ送信装置３は、切換不可信号を送信する。よって、ＡＶデータ受信装置４ａは、切換不可信号を受信して切換対象であるが切換不可能であることを認識し、発光部４０を点滅させる。
【０１２７】
又、図１４（ｃ）のように、ＡＶデータ送信装置３にＩＤコードＤを格納したＡＶデータ受信装置４ｄがＩＤコードＤで暗号化したＩＤ切換確認信号ＡＳＫを送信すると、ＡＶデータ送信装置３は、ＩＤコードＡ〜Ｃで暗号化されていないため、暗号化解除することができず、切換対象外信号を送信する。よって、ＡＶデータ受信装置４ｄは、切換対象外信号を受信して切換対象でないことを認識し、発光部４１を点灯させる。更に、図１４（ｄ）のように、ＡＶデータ受信装置４がＩＤ切換確認信号ＡＳＫを送信してから、ＡＶデータ送信装置３からの確認結果信号を受信しなかったとき、ＡＶデータ送信装置３から応答がなかったことを認識し、発光部４１を点滅させる。
【０１２８】
このように、ＡＶデータ受信装置４に発光部４０，４１を設け、発光部４０，４１それぞれの状態に応じて、図１３のフローチャートにおけるＳＴＥＰ８４〜ＳＴＥＰ８６及びＳＴＥＰ８８の状態を表す表示を行うようにしても構わないし、図１５のように、ＡＶデータ受信装置４に接続されたＡＶ再生装置２に表示させるようにしても構わない。
【０１２９】
即ち、図１４（ａ）の状態の時、図１５（ａ）のように、ＡＶデータ受信装置４ａに接続されたＡＶ再生装置２ａに切換可能であることを表示し、図１４（ｂ）の状態の時、図１５（ｂ）のように、ＡＶ再生装置２ａに切換不可能であることを表示する。又、図１４（ｃ）の状態の時、図１５（ｃ）のように、ＡＶデータ受信装置４ｄに接続されたＡＶ再生装置２ｄに切換対象外であることを表示し、図１４（ｄ）の状態の時、図１５（ｄ）のように、ＡＶデータ受信装置４に接続されたＡＶ再生装置２にＡＶデータ送信装置３から返答がないことを表示する。
【０１３０】
又、本実施形態において、ＡＶデータ受信装置４からＩＤ切換確認信号が送信されるとき、データ生成部５５５においてＡＶデータ送信装置３が固定モードを解除するデータが含まれるＩＤ切換確認信号（強制モードのＩＤ切換確認信号とする）が生成されるようにしても構わない。このとき、ＩＤ切換確認を行うＡＶデータ送信装置３は、図１６のフローチャートに従って動作する。
【０１３１】
即ち、受信した信号がＳＴＥＰ７０でＩＤ切換制御部５２１に記録したＩＤコードで暗号化解除することができるとともに、ＳＴＥＰ７１でＩＤ切換確認信号であるとき、ＳＴＥＰ９０に移行して、ＩＤ切換確認信号が強制モードであるかが確認される。そして、強制モードである場合（Ｙｅｓ）、ＳＴＥＰ７３に移行して、ＩＤ切換可能である場合の処理動作を行い、強制モードでない場合（Ｎｏ）、ＳＴＥＰ７２に移行して固定モードであるか否かが確認される。
【０１３２】
＜第５の実施形態＞
本発明の第５の実施形態について、図面を参照して以下に説明する。尚、本実施形態のＡＶデータ無線通信システム及びＡＶデータ送信装置及びＡＶデータ受信装置それぞれの構成は、第４の実施形態と同様、図１のＡＶデータ無線通信システム及び図２のＡＶデータ送信装置及び図３０又は図７のＡＶデータ受信装置のような構成となる。
【０１３３】
本実施形態においても、第４の実施形態と同様、ＩＤ切換確認動作及びＩＤ切換動作が行われる。尚、ＩＤ切換動作については、第４の実施形態と同様の動作を行うので、説明は省略する。又、ＩＤ切換確認動作については、第４の実施形態と異なり、ＡＶデータ送信装置３が現在ＩＤ記憶部５２０に格納しているＩＤコードより、現在ＡＶデータ通信を行っているＡＶデータ受信装置４（ＡＶデータ受信装置４ａ〜４ｃに相当する）を示す信号を送信し、ＩＤ切換確認信号を送信したＡＶデータ受信装置４に対して認識させる。
【０１３４】
このようにＩＤ切換確認動作がＡＶデータ無線通信システムにおいて行われるとき、ＡＶデータ送信装置３が図１７のフローチャートに従って動作し、ＡＶデータ受信装置４が図１８のフローチャートに従って動作する。尚、図１７及び図１８のフローチャートにおいて、図１２及び図１３のフローチャートと同一の動作が行われるステップについては、同一の符号を付して、その詳細な説明は省略する。
【０１３５】
まず、ＡＶデータ受信装置４が電源ＯＮとなったときなどの所定動作が行われたときやユーザによって操作されるときや前回のＩＤ切換確認動作が終了してから所定時間が経過したとき、ＩＤ切換が可能か否かを確認するためのＩＤ切換確認動作を開始する。そして、ＩＤ切換確認信号を送信する（ＳＴＥＰ８０）。ＡＶデータ送信装置３では、双方向データ通信期間５８２に受信したデータ信号５７３がＩＤ切換制御部５２１で記憶したＩＤコードで暗号化解除可能か確認し（ＳＴＥＰ７０）、暗号化解除したとき（Ｙｅｓ）、ＩＤ切換確認信号であるか確認する（ＳＴＥＰ７１）。
【０１３６】
そして、ＩＤ切換確認信号であることを確認すると（Ｙｅｓ）、ＩＤ記憶部５２０がＳＴＥＰ７０における暗号化解除を確認する前に格納していたＩＤコードを確認し、現在ＡＶデータ通信を行っているＡＶデータ受信装置４を示す選択受信装置確認信号をデータ生成部５０５で生成した後送信する（ＳＴＥＰ１００）。このとき、選択受信装置確認信号は、誤り訂正符号付加部５０６で誤り訂正符号が付加された後、データスクランブル部５０７でＳＴＥＰ７０において確認されたＩＤコードによって暗号化され、ＢＢ５０９およびＲＦ５１０およびアンテナ５１１を介して送信される。
【０１３７】
その後、第４の実施形態と同様、固定モードであるか確認し（ＳＴＥＰ７２）、固定モードでない場合（Ｎｏ）、ＩＤ記憶部５２０がＳＴＥＰ７０における暗号化解除を確認する前に格納していたＩＤコードとＳＴＥＰ７０で暗号化解除が確認されたＩＤコードとが比較される（ＳＴＥＰ１０１）。この比較結果が一致するときは（Ｙｅｓ）、現在ＡＶデータ通信を行っているＡＶデータ受信装置４からの信号であるので、ＡＶデータ通信中であることを示す信号を送信する（ＳＴＥＰ１０２）。
【０１３８】
又、ＳＴＥＰ１０１において比較結果が一致しないとき（Ｎｏ）、ＳＴＥＰ７３、ＳＴＥＰ７４、ＳＴＧＥＰ７７の動作を行って切換可能信号を送信し、ＳＴＥＰ７２において固定モードである場合（Ｙｅｓ）、ＳＴＥＰ７５〜ＳＴＥＰ７７の動作を行って切換不可信号を送信し、ＳＴＥＰ７０において暗号化解除ができなかったとき（Ｎｏ）、ＳＴＥＰ７８の動作を行って切換対象外信号を送信する。
【０１３９】
又、ＡＶデータ受信装置４では、ＩＤ切換確認信号を送信した後、選択受信装置確認信号を受信したか否かが確認される（ＳＴＥＰ１１０）。このとき、選択受信装置確認信号がアンテナ５４１及びＲＦ５４２及びＢＢ５４３を介して受信されると（Ｙｅｓ）、この選択受信装置確認信号がスクランブル解除部５４４で暗号化解除された後、データ解析部５４５で現在ＡＶデータ送信装置３がＡＶデータ通信を行っているＡＶデータ受信装置４を確認する（ＳＴＥＰ１１１）。
【０１４０】
又、選択受信装置確認信号を受信していないときは、ＩＤ切換確認信号を送信してから所定時間が経過したかを確認し（ＳＴＥＰ１１２）、所定時間が経過していない場合は（Ｎｏ）ＳＴＥＰ１１０に移行し、所定時間が経過した場合は、確認結果信号を受信したか否かを確認するために、ＳＴＥＰ８１に移行する。
【０１４１】
更に、ＳＴＥＰ１１１でＡＶデータ送信装置３がＡＶデータ通信を行っているＶデータ受信装置４を確認した後、確認結果信号を受信したか確認する（ＳＴＥＰ８１）。そして、確認結果信号の受信を確認すると（Ｙｅｓ）、現在、自機器のＩＤコードがＡＶデータ送信装置３のＩＤ記憶部５２０に格納され、ＡＶデータデータ送信装置３とＡＶデータ通信を行っている状態であることを示す信号であるか否かが認識される（ＳＴＥＰ１１３）。このとき、自機器がＡＶデータ送信装置３とＡＶデータ通信を行っている状態である場合（Ｙｅｓ）、ＩＤ切換確認動作を終了する。
【０１４２】
又、ＳＴＥＰ８２及びＳＴＥＰ８３の動作を行うことで、切換可能信号を受信したことが確認されると、現在選択されているＡＶデータ受信装置４の番号と共に切換可能であることを示す表示を行い（ＳＴＥＰ８４ａ）、又、切換不可信号を受信したことが確認されると、現在選択されているＡＶデータ受信装置４の番号と共に切換不可能であることを示す表示を行う（ＳＴＥＰ８５ａ）。更に、ＳＴＥＰ８２で切換対象外信号を受信したことが確認されると、切換対象外であることを示す表示を行い（ＳＴＥＰ８６）、ＳＴＥＰ８７で所定時間が経過しても確認結果信号の受信が確認されなかったとき、ＡＶデータ送信装置３から返答がなかったことを示す表示を行う（ＳＴＥＰ８８）。
【０１４３】
よって、図１９（ａ）のように、ＩＤコードＡ〜Ｃを備えるとともにＩＤ記憶部５２０にＩＤコードＢを格納してＡＶデータ受信装置４ｂとＡＶデータ通信を行っているＡＶデータ送信装置３にＡＶデータ受信装置４ａがＩＤコードＡで暗号化したＩＤ切換確認信号ＡＳＫを送信したとき、ＡＶデータ送信装置３が固定モードでない場合、ＡＶデータ送信装置３は、ＡＶデータ受信装置４ｂとＡＶデータ通信中である選択受信装置確認信号及び切換可能信号を送信する。
【０１４４】
よって、ＡＶデータ受信装置４ａは、ＡＶデータ送信装置３がＡＶデータ受信装置４ｂとＡＶデータ通信中であるとともに、切換可能であることを認識する。そして、ＳＴＥＰ８４ａに状態遷移し、ＡＶデータ受信装置４ａに接続されたＡＶ再生装置２ａに、切換可能であることとＡＶデータ受信装置４ｂとＡＶデータ通信中であることを示す図１９（ａ）のような表示が行われる。
【０１４５】
又、図１９（ｂ）のように、ＡＶデータ送信装置３がＩＤ記憶部５２０に格納したＩＤコードＢで固定モードとされるとき、ＡＶデータ送信装置３にＡＶデータ受信装置４ａがＩＤコードＡで暗号化したＩＤ切換確認信号ＡＳＫを送信すると、ＡＶデータ送信装置３は、ＡＶデータ受信装置４ｂとＡＶデータ通信中である選択受信装置確認信号及び切換不可信号を送信する。
【０１４６】
よって、ＡＶデータ受信装置４ａは、ＡＶデータ送信装置３がＡＶデータ受信装置４ｂとＡＶデータ通信中であるとともに、切換対象であるが切換不可能であることを認識する。そして、ＳＴＥＰ８５ｂに状態遷移し、ＡＶデータ受信装置４ａに接続されたＡＶ再生装置２ａに、切換不可能であることとＡＶデータ受信装置４ｂとＡＶデータ通信中であることを示す図１９（ｂ）のような表示が行われる。
【０１４７】
又、図１５（ｃ）のように、ＡＶデータ送信装置３にＩＤコードＤを格納したＡＶデータ受信装置４ｄがＩＤコードＤで暗号化したＩＤ切換確認信号ＡＳＫを送信すると、ＡＶデータ送信装置３は、ＩＤコードＡ〜Ｃで暗号化されていないため、暗号化解除することができず、切換対象外信号を送信する。よって、ＡＶデータ受信装置４ｄは、切換対象外信号を受信して切換対象でないことを認識し、ＳＴＥＰ８６に状態遷移して、ＡＶデータ受信装置４ｄに接続されたＡＶ再生装置２ｄに切換対象外であることを表示する。
【０１４８】
更に、図１５（ｄ）のように、ＡＶデータ受信装置４がＩＤ切換確認信号ＡＳＫを送信してから、ＡＶデータ送信装置３からの確認結果信号を受信しなかったとき、ＡＶデータ受信装置４はＡＶデータ送信装置３から応答がなかったことを認識する。よって、ＳＴＥＰ８８に状態遷移して、図１５（ｄ）のように、ＡＶデータ受信装置４に接続されたＡＶ再生装置２にＡＶデータ送信装置３から返答がないことを表示する。
【０１４９】
尚、本実施形態において、第４の実施形態と同様、ＡＶデータ受信装置４からＩＤ切換確認信号が送信されるとき、データ生成部５５５において強制モードのＩＤ切換確認信号が生成されるようにしても構わない。
【０１５０】
＜第６の実施形態＞
本発明の第６の実施形態について、図面を参照して以下に説明する。尚、本実施形態のＡＶデータ無線通信システムの構成は、第１〜第５の実施形態と同様、図１のＡＶデータ無線通信システムのような構成となる。又、本実施形態のＡＶデータ送信装置とＡＶデータ受信装置とは、図２０及び図２１のような構成となる。又、図２０のＡＶデータ送信装置において、図２のＡＶデータ送信装置と同一の目的で使用する部分については同一の符号を付して詳細な説明は省略する。又、図２１のＡＶデータ受信装置において、図７のＡＶデータ受信装置と同一の目的で使用する部分については同一の符号を付して詳細な説明は省略する。
【０１５１】
本実施形態のＡＶデータ無線通信システムでは、第１〜第５の実施形態と異なり、双方向データ通信期間５８２で送受信されるデータ信号５７３が、ＩＤコードで暗号化されない構成とされる。図２０のＡＶデータ送信装置３は、図２と異なり、スクランブル解除部５１２が削除されてデータ解析部５１３ａがＢＢ５０９と直接接続されるとともに、デジタル入力部５０１と接続されるデータ生成部５０５ａと、データ生成部５０５ａからのデータに誤り訂正符号を付加してＢＢ５０９に送出する誤り訂正符号付加部５０６ａとが付加された構成となる。
【０１５２】
又、図２１のＡＶデータ受信装置４（ＡＶデータ受信装置４ａ〜４ｃに相当する）は、データスクランブル部５５７が削除されて誤り訂正符号付加部５５６がＢＢ５４３と直接接続されるとともに、デジタル出力解析部５４９がＢＢ５４３と直接接続される。
【０１５３】
ＡＶデータ送信装置３及びＡＶデータ受信装置４がこのように構成されるとき、双方向データ通信期間５８２において送受信されるデータ信号５７３が、ＡＶデータ送信装置３ではデジタル入力部５０１からデータ生成部５０５ａ及び誤り訂正符号付加部５０６ａを介してＢＢ５０９に与えられる。又、ＡＶデータ受信装置４ではデータ生成部５５５から誤り訂正符号付加部５５６を介してＢＢ５４３に与えられる。
【０１５４】
即ち、第１〜第５の実施形態と異なり、データスクランブル部５０７，５５７で暗号化されないため、ヘッダ５７４内の送信側の情報よりいずれの装置から送信されたか確認する。又、ＢＢ５０９，５４９では、片方向ＡＶデータ伝送期間５８１であるか双方向データ通信期間５８２であるかを確認することにより、受信した信号がＡＶデータ信号５７０であるかデータ信号５７３であるかを判断する。
【０１５５】
ＡＶデータ送信装置３では、デジタル入力部５０１より入力されたデータによってデータ生成部５０５ａでデータ信号５７３を生成すると、誤り訂正符号付加部５０６ａで誤り訂正符号を付加した後、ＢＢ５０９及びＲＦ５１０及びアンテナ５１１を介して送信する。又、データ信号５７３をアンテナ５１１で受信すると、ＲＦ５１０を介してＢＢ５０９に与えられる。そして、双方向データ通信期間５８２であることからデータ信号５７３であることを確認するとともに、ヘッダ５７４より自機器宛であることを確認して、データ解析部５１３ａに送出する。尚、データ解析部５１３ａでは、データ信号５７３のヘッダ５７４より、いずれのＡＶデータ受信装置４からのデータ信号５７３であるか確認する。
【０１５６】
又、ＡＶデータ受信装置４では、操作スイッチ部変換部５５２及びリモコンデータ変換部５５４及び再送要求パケット生成部５５８によって、データ生成部５５５でデータ信号５７３を生成すると、誤り訂正符号付加部５５６で誤り訂正符号を付加した後、ＢＢ５４３及びＲＦ５４２及びアンテナ５４１を介して送信する。又、データ信号５７３をアンテナ５４１で受信すると、ＲＦ５４２を介してＢＢ５４３に与えられる。そして、双方向データ通信期間５８２であることからデータ信号５７３であることを確認するとともに、ヘッダ５７４より自機器宛であることを確認して、デジタル出力解析部５４９に送出する。
【０１５７】
よって、ＩＤ切換動作を行う際、データ送信装置３は、図２２のフローチャートのように、データ信号５７３を受信すると（ＳＴＥＰ１２０）、データ解析部５１３ａで受信したデータ信号５７３のヘッダ５７４よりいずれの装置から送信された信号か確認する（ＳＴＥＰ１２１）。そして、確認された装置がＡＶデータ送信装置３とデータ通信を許可したＡＶデータ受信装置４であるか否かを確認する（ＳＴＥＰ１２２）。このとき、データ信号５７３の送信元が通信許可したＡＶデータ受信装置４である場合（Ｙｅｓ）、現在ＩＤ記憶部５２０に格納しているＩＤコードを備えたＡＶデータ受信装置４から送信されたものであるか否かが確認される（ＳＴＥＰ１２３）。
【０１５８】
そして、現在ＡＶデータ通信を行っているＡＶデータ受信装置４から送信されたデータ信号５７３でない場合（Ｎｏ）、データ信号５７３がＩＤ切換要求信号であるか否かを確認する（ＳＴＥＰ１２４）。このとき、ＩＤ切換要求信号である場合（Ｙｅｓ）、切換可能であるか否かが確認される（ＳＴＥＰ１２５）。そして、切換可能である場合（Ｙｅｓ）、ＩＤ記憶部５２０に格納するＩＤコードを、データ信号５７３を送信したＡＶデータ受信装置４のＩＤコードに変換し（ＳＴＥＰ１２６）、動作を終了する。
【０１５９】
又、ＳＴＥＰ１２１で通信許可されていない装置であったとき（Ｎｏ）、又は、ＳＴＥＰ１２２で現在ＡＶデータ通信を行っているＡＶデータ受信装置４からの信号であるとき（Ｙｅｓ）、又は、ＳＴＥＰ１２４でＩＤ切換要求信号でなかったとき（Ｎｏ）、又は、ＳＴＥＰ１２５で切換可能でなかったとき（Ｎｏ）、ＩＤ切換動作を終了する。
【０１６０】
よって、ＡＶデータ送信装置３がＩＤ切換要求信号を受信したとき、このＩＤ切換要求信号のヘッダ５７４よりいずれの装置から送信されたものであるか、データ解析部５１３ａで確認する。そして、ＡＶデータ送信装置３がＩＤ切換制御部５２１にＩＤコードＡ〜Ｃを格納しているとき、確認した装置がＡＶデータ受信装置４ａ〜４ｃのいずれかである場合、切換可能であるか確認する。その後、切換可能である場合、ＩＤ記憶部５２０に格納しているＩＤコードを切り換える。
【０１６１】
このとき、第１の実施形態のように、ヘッダ５７４より確認されたＡＶデータ受信装置４をＩＤ切換制御部５２１に記憶したＩＤコードに順番に対応させて確認しても構わないし、第２の実施形態のように、現在使用しているＩＤコード以外のＩＤコードに対応させることで切換動作であることを確認するようにしても構わない。又、第３の実施形態のように、ＩＤコード切換前のＡＶデータ受信装置４及びＡＶデータ受信装置４に接続された外部機器の電源をＯＦＦするようにしても構わないし、ＡＶデータ受信装置４が電源ＯＮとなったときに、ＩＤ切換要求信号が送信されるようにしても構わない。
【０１６２】
更に、ＩＤ切換確認動作が行われるとき、第４及び第５の実施形態と同様、ＡＶデータ送信装置３が図１２又は図１７のフローチャートに従って動作を行い、又、ＡＶデータ受信装置４が図１３又は図１８のフローチャートに従って動作を行う。このように、ＡＶデータ無線通信システムにおいてＩＤ切換確認動作が行われるとき、ＡＶデータ送信装置３は、図１２又は図１７のフローチャートのＳＴＥＰ７０において、暗号化解除可能であったか否かを確認する代わりに、ヘッダ５７４より認識されるデータ信号５７３を送信した装置がＡＶデータ通信を許可したＡＶデータ受信装置４であるか否かを確認する。第１〜第５の実施形態と同様の動作を行う構成とするとき、ＯＦＦ信号や選択受信装置確認信号やＩＤ切換確認信号は、ＩＤ切換要求信号などの他のデータ信号５７３と同様、ＩＤコードで暗号化されない。
【０１６３】
＜第７の実施形態＞
本発明の第７の実施形態について、図面を参照して以下に説明する。尚、本実施形態のＡＶデータ無線通信システムの構成は、第１〜第６の実施形態と同様、図１のＡＶデータ無線通信システムのような構成となる。又、本実施形態のＡＶデータ送信装置とＡＶデータ受信装置とは、図２３及び図２４のような構成となる。又、図２３のＡＶデータ送信装置において、図２０のＡＶデータ送信装置と同一の目的で使用する部分については同一の符号を付して詳細な説明は省略する。又、図２４のＡＶデータ受信装置において、図２１のＡＶデータ受信装置と同一の目的で使用する部分については同一の符号を付して詳細な説明は省略する。
【０１６４】
本実施形態のＡＶデータ無線通信システムでは、第１〜第５の実施形態と異なり、双方向データ通信期間５８２で送受信されるデータ信号５７３が、共通のＩＤコードＸで暗号化される構成とされる。このＩＤコードＸは、ＡＶデータ送信装置３と、ＡＶデータ送信装置３によってＡＶデータ通信が許可されたＡＶデータ受信装置４（ＡＶデータ受信装置４ａ〜４ｃに相当する）とに格納される。即ち、図１のＡＶデータ無線通信システムのように、ＡＶデータ送信装置３によってＡＶデータ受信装置４ａ〜４ｃが通信許可されている場合、ＡＶデータ受信装置４ａ〜４ｃ以外のＡＶデータ受信装置４には、ＡＶデータ送信装置３の格納するＩＤコードＸが格納されていない。
【０１６５】
このとき、図２３のＡＶデータ送信装置３は、図２０と異なり、通信許可した全てのＡＶデータ受信装置４と共通のＩＤコードＸを格納するＩＤ記憶部５２０ａと、誤り訂正符号付加部５０６ａからのデータ信号をＩＤ記憶部５２０ａ内のＩＤコードＸで暗号化するデータスクランブル部５０７ａと、ＩＤ記憶部５２０ａ内のＩＤコードＸで暗号化解除を行うスクランブル解除部５１２が付加された構成となる。又、図２４のＡＶデータ受信装置４は、図２１と異なり、ＡＶデータ送信装置３と共通のＩＤコードＸを格納するＩＤ記憶部５６０ａと、ＩＤ記憶部５６０ａ内のＩＤコードＸで暗号化解除を行うスクランブル解除部５４４ａが付加された構成となる。
【０１６６】
ＡＶデータ送信装置３及びＡＶデータ受信装置４がこのように構成されるとき、双方向データ通信期間５８２において送受信されるデータ信号５７３が、ＡＶデータ送信装置３ではデジタル入力部５０１からデータ生成部５０５ａ及び誤り訂正符号付加部５０６ａを介してデータスクランブル部５０７ａに与えられる。そして、ＩＤ記憶部５２０ａのＩＤコードＸで暗号化されて、ＢＢ５０９に与えられる。又、ＡＶデータ受信装置４ではデータ生成部５５５から誤り訂正符号付加部５５６を介してデータスクランブル部５５７に与えられる。そして、ＩＤ記憶部５６０ａのＩＤコードＸで暗号化されて、ＢＢ５４３に与えられる。
【０１６７】
即ち、第１〜第５の実施形態と異なり、データスクランブル部５０７，５４４で共通のＩＤコードＸによって暗号化されるため、ヘッダ５７４内の送信側の情報よりいずれの装置から送信されたか確認する。又、ＢＢ５０９，５４９では、片方向ＡＶデータ伝送期間５８１であるか双方向データ通信期間５８２であるかを確認することにより、受信した信号がＡＶデータ信号５７０であるかデータ信号５７３であるかを判断する。
【０１６８】
ＡＶデータ送信装置３では、デジタル入力部５０１より入力されたデータによってデータ生成部５０５ａでデータ信号５７３を生成すると、誤り訂正符号付加部５０６ａで誤り訂正符号を付加する。そして、データスクランブル５０７ａにおいてＩＤ記憶部５２０ａよりＩＤコードＸを読み出して、データ信号５７３をＩＤコードＸで暗号化し、データ信号ＢＢ５０９及びＲＦ５１０及びアンテナ５１１を介して送信する。
【０１６９】
又、データ信号５７３をアンテナ５１１で受信すると、ＲＦ５１０を介してＢＢ５０９に与えられる。そして、双方向データ通信期間５８２であることからデータ信号５７３であることを確認するとともに、ヘッダ５７４より自機器宛であることを確認して、スクランブル解除部５１２に送出する。このスクランブル解除部５１２において、ＩＤ記憶部５２０ａよりＩＤコードＸを読み出して、データ信号５７３をＩＤコードＸで暗号化解除して、データ解析部５１３ａに送出する。尚、データ解析部５１３ａでは、データ信号５７３のヘッダ５７４より、いずれのＡＶデータ受信装置４からのデータ信号５７３であるか確認する。
【０１７０】
又、ＡＶデータ受信装置４では、操作部データ変換部５５２及びリモコンデータ変換部５５４及び再送要求パケット生成部５５８によって、データ生成部５５５でデータ信号５７３を生成すると、誤り訂正符号付加部５５６で誤り訂正符号を付加する。そして、データスクランブル５５７においてＩＤ記憶部５６０ａよりＩＤコードＸを読み出して、データ信号５７３をＩＤコードＸで暗号化し、データ信号ＢＢ５４３及びＲＦ５４２及びアンテナ５４１を介して送信する。
【０１７１】
又、データ信号５７３をアンテナ５４１で受信すると、ＲＦ５４２を介してＢＢ５４３に与えられる。そして、双方向データ通信期間５８２であることからデータ信号５７３であることを確認するとともに、ヘッダ５７４より自機器宛であることが確認して、スクランブル解除部５４４ａに送出する。このスクランブル解除部５４４ａにおいて、ＩＤ記憶部５６０ａよりＩＤコードＸを読み出して、データ信号５７３をＩＤコードＸで暗号化解除して、デジタル出力解析部５４９に送出する。
【０１７２】
よって、ＩＤ切換動作を行う際、図２５のフローチャートのように、データ信号５７３が受信されると（ＳＴＥＰ１３０）、スクランブル解除部５１２に与えられてＩＤ記憶部５２０ａ内のＩＤコードＸで暗号化解除される（ＳＴＥＰ１３１）。そして、データ信号５７３がＩＤコードＸで暗号化解除されたか否かがデータ解析部５１３ａで確認される（ＳＴＥＰ１３２）。このとき、ＩＤコードＸで暗号化解除されると（Ｙｅｓ）、データ信号５７３のヘッダ５７４より現在ＩＤ記憶部５２０に格納しているＩＤコードを備えたＡＶデータ受信装置４から送信されたものであるか否かが確認される（ＳＴＥＰ１３３）。
【０１７３】
そして、現在ＡＶデータ通信を行っているＡＶデータ受信装置４から送信されたデータ信号５７３でない場合（Ｎｏ）、データ信号５７３がＩＤ切換要求信号であるか否かを確認する（ＳＴＥＰ１３４）。このとき、ＩＤ切換要求信号である場合（Ｙｅｓ）、切換可能であるか否かが確認される（ＳＴＥＰ１３５）。そして、切換可能である場合（Ｙｅｓ）、ＩＤ記憶部５２０に格納するＩＤコードを、データ信号５７３を送信したＡＶデータ受信装置４のＩＤコードに変換し（ＳＴＥＰ１３６）、動作を終了する。
【０１７４】
又、ＳＴＥＰ１３２でＩＤコードＸによって暗号化解除されなかったとき（Ｎｏ）、又は、ＳＴＥＰ１３３で現在ＡＶデータ通信を行っているＡＶデータ受信装置４からの信号であるとき（Ｙｅｓ）、又は、ＳＴＥＰ１３５でＩＤ切換要求信号でなかったとき（Ｎｏ）、又は、ＳＴＥＰ１３６で切換可能でなかったとき（Ｎｏ）、ＩＤ切換動作を終了する。
【０１７５】
よって、ＡＶデータ送信装置３がＩＤ切換要求信号を受信したとき、スクランブル解除部５１２でＩＤコードＸによって暗号化解除できるか否かで、切換可能であるか確認する。その後、切換可能である場合、ＩＤ切換要求信号のヘッダ５７４よりいずれの装置から送信されたものであるか、データ解析部５１３ａで確認し、ＩＤ記憶部５２０に格納しているＩＤコードを切り換える。このとき、第３の実施形態のように、ＩＤコード切換前のＡＶデータ受信装置４及びＡＶデータ受信装置４に接続された外部機器の電源をＯＦＦするようにしても構わないし、ＡＶデータ受信装置４が電源ＯＮとなったときに、ＩＤ切換要求信号が送信されるようにしても構わない。
【０１７６】
又、ＩＤ切換確認動作が行われるとき、第６の実施形態と同様、ＡＶデータ送信装置３が図１２又は図１７のフローチャートに従って動作を行い、又、ＡＶデータ受信装置４が図１３又は図１８のフローチャートに従って動作を行う。このとき、ＡＶデータ送信装置３は、図１２又は図１７のフローチャートのＳＴＥＰ７０において、ＩＤコードＸで暗号化解除可能であったか否かを確認する。更に、第１〜第５の実施形態と同様の動作を行う構成とするとき、ＯＦＦ信号や選択受信装置確認信号やＩＤ切換確認信号についても、ＩＤ切換要求信号などの他のデータ信号５７３と同様、ＩＤコードＸで暗号化される。
【０１７７】
＜第８の実施形態＞
本発明の第８の実施形態について、図面を参照して以下に説明する。尚、本実施形態のＡＶデータ無線通信システムの構成は、第１〜第７の実施形態と同様、図１のＡＶデータ無線通信システムのような構成となる。又、本実施形態のＡＶデータ送信装置は、第７の実施形態と同様、図２３のような構成となる。又、本実施形態のＡＶデータ受信装置は、図２６のような構成となる。又、図２６のＡＶデータ受信装置において、図２４のＡＶデータ受信装置と同一の目的で使用する部分については同一の符号を付して詳細な説明は省略する。
【０１７８】
本実施形態のＡＶデータ無線通信システムでは、第７の実施形態と同様、双方向データ通信期間５８２で送受信されるデータ信号５７３が、共通のＩＤコードＸで暗号化されるとともに、片方向ＡＶデータ伝送期間５８１に送信するＡＶデータ信号を暗号化するためのＩＤコードを変更する構成とする。即ち、本実施形態のＡＶデータ無線通信システムにおいて、ＡＶデータ受信装置４（ＡＶデータ受信装置４ａ〜４ｃに相当する）が、図２６のように、図２４の構成にＩＤコードを変更するＩＤ生成部５６２が付加される。その他の構成については、第７の実施形態と同様となるので、その詳細な説明は省略する。
【０１７９】
よって、以下では、ＩＤコード変更時の動作について説明する。ＩＤコードの変更を行うようにＡＶデータ受信装置４が操作されたとき、ＩＤ生成部５６２において変更するＩＤコードを生成する。このＩＤ生成部５６２で生成したＩＤコードをデータ生成部５５５に与えた後、誤り訂正符号付加部５５６で誤り訂正符号を付加して、データスクランブル部５５７に送出する。
【０１８０】
そして、データスクランブル５５７で、ＩＤ記憶部５６０ａに格納されたＩＤコードＸによって暗号化した後、ＢＢ５４３及びＲＦ５４２及びアンテナ５４１を介して双方向データ通信期間５８２のデータ信号５７３として送信する。このように送信されたデータ信号５７３を、ＩＤ変更要求信号とする。又、ＩＤ記憶部５６０に記憶されたＩＤコードを、ＩＤ生成部５６２で生成したＩＤコードに切り換える。
【０１８１】
このように変更するＩＤコードによるデータ信号５７３であるＩＤ変更要求信号をＡＶデータ受信装置４が送信すると、ＡＶデータ送信装置３は、このデータ信号５７３を受信し、ＡＶデータ受信装置４がＩＤコードを変更したことを確認する。このときのＡＶデータ送信装置３の動作について、図２７のフローチャートに従って説明する。
【０１８２】
ＡＶデータ送信装置３は、アンテナ５１１及びＲＦ５１０及びＢＢ５０９を介してデータ信号５７３を受信すると、スクランブル解除部５１２に送出し、ＩＤ記憶部５０７ａに格納されたＩＤコードＸで暗号化解除を行う（ＳＴＥＰ１４０）。そして、データ信号５７３がＩＤコードＸで暗号化解除されたか否かがデータ解析部５１３ａで確認される（ＳＴＥＰ１４１）。このとき、ＩＤコードＸで暗号化解除されると（Ｙｅｓ）、データ解析部５１３において、ヘッダ５７４よりいずれのデータ受信装置４より送信された信号であるか確認するとともにデータ信号５７３がＩＤ変更要求信号であるか否かを確認する（ＳＴＥＰ１４２）。
【０１８３】
そして、ＩＤ変更要求信号である場合（Ｙｅｓ）、送信元となるＡＶデータ受信装置４のＩＤコードをＩＤ切換制御部５２１より確認する（ＳＴＥＰ１４３）。そして、ＩＤ切換制御部５２１で確認したＩＤコードを、ＩＤ変更要求信号より確認したＩＤコードに変更し（ＳＴＥＰ１４４）、動作を終了する。又、ＳＴＥＰ１４１でＩＤコードＸによって暗号化解除されなかったとき（Ｎｏ）、又は、ＳＴＥＰ１４２でＩＤ変更要求信号でなかったとき（Ｎｏ）、ＩＤ変更動作を終了する。
【０１８４】
このように、ＡＶデータ送信装置３及びＡＶデータ受信装置４においてＩＤコードが変更されたとき、第７の実施形態のように、ＩＤ切換変換動作を行うことでＡＶデータ通信を行うＡＶデータ受信装置４を切り換えるようにしても構わない。又、上述のＩＤ変更動作が、ＩＤ切換確認動作を行ったときに同時に行われるようにしても構わないし、ＩＤ切換動作を行うときに同時に行うようにしても構わない。
【０１８５】
尚、第１〜第８の実施形態において、リモコン５が操作されることにより、ＡＶデータ送信装置３及びＡＶデータ受信装置４ａ〜４ｃが動作するものとしたが、ＡＶデータ送信装置３及びＡＶデータ受信装置４ａ〜４ｃが直接操作されることによって、ＩＤ切換動作及びＩＤ切換確認動作及びＩＤ変更動作が行われるようにしても構わない。
【０１８６】
【発明の効果】
本発明によると、ＡＶデータ送信装置によってＡＶデータ通信可能なＡＶデータ受信装置が管理されるため、受信可能なＡＶデータ受信装置を特定の台数のみに限定することができる。又、ＡＶデータの受信を所望するＡＶデータ受信装置より鍵信号の切換を要求することができるため、ＡＶデータの受信を所望するＡＶデータ受信装置以外の装置を操作する必要がない。又、鍵信号の切換とともにＡＶデータ通信が終了したＡＶデータ受信装置の動作状態を自動的に変更することにより、例えば、低消費電力となる動作状態に変更したとき、電力消費を抑制することができる。又、ＡＶデータ送信装置との接続関係をＡＶデータ受信装置又はＡＶ再生装置で報知することができるため、ユーザが容易に接続関係及び接続状態を確認することができる。
【図面の簡単な説明】
【図１】本発明のＡＶデータ無線通信システムを説明するための図。
【図２】本発明の第１〜第５の実施形態におけるＡＶデータ送信装置の内部構成を示すブロック図。
【図３】本発明のＡＶデータ信号及びデータ信号の送信期間を説明するための図。
【図４】第１の実施形態におけるＡＶデータ送信装置のＩＤ切換処理時の動作を示すフローチャート。
【図５】第１の実施形態におけるＡＶデータ無線通信システムにおける状態遷移例を示す図。
【図６】第２の実施形態におけるＡＶデータ送信装置のＩＤ切換処理時の動作を示すフローチャート。
【図７】本発明の第３〜第５の実施形態におけるＡＶデータ受信装置の内部構成を示すブロック図。
【図８】第３の実施形態におけるＡＶデータ送信装置のＩＤ切換後処理時の動作を示すフローチャート。
【図９】第３の実施形態におけるＡＶデータ受信装置の電源ＯＦＦ処理時の動作を示すフローチャート。
【図１０】第３の実施形態におけるＡＶデータ受信装置の電源ＯＮ処理時の動作を示すフローチャート。
【図１１】第３の実施形態におけるＡＶデータ無線通信システムにおける状態遷移例を示す図。
【図１２】第４の実施形態におけるＡＶデータ送信装置によるＩＤ切換確認動作時の動作を示すフローチャート。
【図１３】第４の実施形態におけるＡＶデータ受信装置によるＩＤ切換確認動作時の動作を示すフローチャート。
【図１４】第４の実施形態においてＡＶデータ受信装置がＩＤ切換確認信号を送信したときのＡＶデータ受信装置の状態を示す図。
【図１５】第４の実施形態においてＡＶデータ受信装置がＩＤ切換確認信号を送信したときのＡＶ再生装置の表示例。
【図１６】第４の実施形態におけるＡＶデータ送信装置によるＩＤ切換確認動作時の別の動作例を示すフローチャート。
【図１７】第５の実施形態におけるＡＶデータ送信装置によるＩＤ切換確認動作時の動作を示すフローチャート。
【図１８】第５の実施形態におけるＡＶデータ受信装置によるＩＤ切換確認動作時の動作を示すフローチャート。
【図１９】第５の実施形態において切換可能信号又は切換不可信号を受信したときのＡＶ再生装置の表示例。
【図２０】本発明の第６の実施形態におけるＡＶデータ送信装置の内部構成を示すブロック図。
【図２１】本発明の第６の実施形態におけるＡＶデータ受信装置の内部構成を示すブロック図。
【図２２】第６の実施形態のＡＶデータ無線通信システムにおけるＡＶデータ送信装置のＩＤ切換動作を示すフローチャート。
【図２３】本発明の第７の実施形態におけるＡＶデータ送信装置の内部構成を示すブロック図。
【図２４】本発明の第７の実施形態におけるＡＶデータ受信装置の内部構成を示すブロック図。
【図２５】第７の実施形態のＡＶデータ無線通信システムにおけるＡＶデータ送信装置のＩＤ切換動作を示すフローチャート。
【図２６】本発明の第８の実施形態におけるＡＶデータ受信装置の内部構成を示すブロック図。
【図２７】第８の実施形態のＡＶデータ無線通信システムにおけるＡＶデータ送信装置のＩＤ変更動作を示すフローチャート。
【図２８】従来のＡＶデータ無線通信システムを説明するための図。
【図２９】従来のＡＶデータ送信装置の内部構成を示すブロック図。
【図３０】従来のＡＶデータ受信装置の内部構成を示すブロック図。
【符号の説明】
１    ＡＶソース
２ａ〜２ｃ    ＡＶ再生装置
３    ＡＶデータ送信装置
４ａ〜４ｃ    ＡＶデータ受信装置
５    リモコン
【図１】
2004214971.tif 000003
【図２】
2004214971.tif 000004
【図３】
2004214971.tif 000005
【図４】
2004214971.tif 000006
【図５】
2004214971.tif 000007
【図６】
2004214971.tif 000008
【図７】
2004214971.tif 000009
【図８】
2004214971.tif 000010
【図９】
2004214971.tif 000011
【図１０】
2004214971.tif 000012
【図１１】
2004214971.tif 000013
【図１２】
2004214971.tif 000014
【図１３】
2004214971.tif 000015
【図１４】
2004214971.tif 000016
【図１５】
2004214971.tif 000017
【図１６】
2004214971.tif 000018
【図１７】
2004214971.tif 000019
【図１８】
2004214971.tif 000020
【図１９】
2004214971.tif 000021
【図２０】
2004214971.tif 000022
【図２１】
2004214971.tif 000023
【図２２】
2004214971.tif 000024
【図２３】
2004214971.tif 000025
【図２４】
2004214971.tif 000026
【図２５】
2004214971.tif 000027
【図２６】
2004214971.tif 000028
【図２７】
2004214971.tif 000029
【図２８】
2004214971.tif 000030
【図２９】
2004214971.tif 000031
【図３０】
2004214971.tif 000032